(57)【特許請求の範囲】
【請求項１】
フェムトセルの発見のためのシステムであって、前記システムは、
マクロセル上の第１の周波数範囲に留まっているモバイルデバイスと、
フェムトセルアクセスポイントと
を備え、前記フェムトセルアクセスポイントは、
前記第１の周波数範囲と異なる第２の周波数範囲で帯域外（ＯＯＢ）発見信号を前記モバイルデバイスへ送信または前記モバイルデバイスから受信するように構成される、第１のトランシーバと、
前記第１の周波数範囲および前記第２の周波数範囲と異なる第３の周波数範囲での前記モバイルデバイスへの送信を実行するように構成される、第２の送信機と、
前記第１の周波数範囲での前記モバイルデバイスへの帯域内ビーコンバースト送信を実行して、セルの再選択のために異周波数スキャンを実行するように前記モバイルデバイスをトリガするように構成される、第３の送信機と
を含み、前記帯域内ビーコンバースト送信は、前記第１の周波数範囲から他のマクロセル周波数範囲へホッピングする、時分割多重化されたビーコンを備える、システム。
【請求項２】
前記第１の周波数範囲での帯域内ビーコンバースト送信を実行するために、前記第３の送信機は、
前記第１の周波数範囲での低出力の帯域内ビーコンバースト送信を実行するように構成される、
請求項１に記載のシステム。
【請求項３】
前記第１の周波数範囲での帯域内ビーコンバースト送信を実行するために、前記第３の送信機は、
前記第１の周波数範囲での高出力の帯域内ビーコンバースト送信を実行するように構成される、
請求項１に記載のシステム。
【請求項４】
前記第１の周波数範囲での帯域内ビーコンバースト送信は、時分割多重化された信号を備える、
請求項１に記載のシステム。
【請求項５】
前記フェムトセルアクセスポイントは、前記第１のトランシーバ、前記第２の送信機、および前記第３の送信機と通信可能に結合されるコントローラをさらに備え、前記コントローラは、
前記第２の周波数範囲の発見信号をモニタして、モバイルデバイスの存在を検出し、
モバイルデバイスの存在が検出されない時、前記第１の周波数範囲での前記モバイルデバイスへの帯域内ビーコンバースト送信を中断するように構成される、
請求項１に記載のシステム。
【請求項６】
前記フェムトセルアクセスポイントは、前記第１のトランシーバ、前記第２の送信機、および前記第３の送信機と通信可能に結合されるコントローラをさらに備え、前記コントローラは、
前記第２の周波数範囲の発見信号をモニタして、モバイルデバイスの存在を検出し、
１つまたは複数のモバイルデバイスの前記存在が検出される時、前記第１の周波数範囲での前記モバイルデバイスへの帯域内ビーコンバースト送信をアクティブ化するように構成される、
請求項１に記載のシステム。
【請求項７】
前記第３の周波数にすでに留まっている１つまたは複数のモバイルデバイスの前記存在が検出される時、前記帯域内ビーコンバースト送信が中断されたままである、
請求項６に記載のシステム。
【請求項８】
前記フェムトセルアクセスポイントは、前記第１のトランシーバおよび前記第２の送信機と通信可能に結合されるコントローラをさらに備え、前記コントローラは、
前記第２の周波数範囲の発見信号をモニタして、前記フェムトセルアクセスポイントに登録されたモバイルデバイスの存在を検出し、
前記フェムトセルアクセスポイントに登録されたモバイルデバイスが検出されない時、前記第１の周波数範囲での前記モバイルデバイスへの帯域内ビーコンバースト送信を中断するように構成される、
請求項１に記載のシステム。
【請求項９】
前記フェムトセルアクセスポイントは、前記第１のトランシーバおよび前記第２の送信機と通信可能に結合されるコントローラをさらに備え、前記コントローラは、
前記第２の周波数範囲の発見信号をモニタして、前記フェムトセルアクセスポイントに登録されたモバイルデバイスの存在を検出し、
前記フェムトセルアクセスポイントに登録されている１つまたは複数のモバイルデバイスが検出される時、前記第１の周波数範囲での前記モバイルデバイスへの帯域内ビーコンバースト送信をアクティブ化する
ように構成される、請求項１に記載のシステム。
【請求項１０】
前記フェムトセルアクセスポイントは、前記第１のトランシーバおよび前記第２の送信機と通信可能に結合されるコントローラをさらに備え、前記コントローラは、
前記第２の周波数範囲の発見信号をモニタして、モバイルデバイスの存在を検出し、
前記フェムトセルアクセスポイントに登録されたモバイルデバイスが検出されない時、第１の間隔で、前記第１の周波数範囲で高出力の帯域内ビーコンバースト送信を送信し、
前記フェムトセルアクセスポイントに登録されたモバイルデバイスが検出されない時、前記第１の間隔よりも短い第２の間隔で、前記第１の周波数範囲で高出力の帯域内ビーコンバースト送信を送信する
ように構成される、請求項１に記載のシステム。
【請求項１１】
前記フェムトセルアクセスポイントは、前記第１のトランシーバおよび前記第２の送信機と通信可能に結合されるコントローラをさらに備え、前記コントローラは、
前記第２の周波数範囲の信号をモニタして、モバイルデバイスの存在を検出し、
前記フェムトセルアクセスポイントに登録されたモバイルデバイスが検出されない時、第１の間隔で、前記第１の周波数範囲で低出力の帯域内ビーコンバースト送信を送信し、
前記フェムトセルアクセスポイントに登録されたモバイルデバイスが検出されない時、前記第１の間隔よりも短い第２の間隔で、前記第１の周波数範囲で低出力の帯域内ビーコンバースト送信を送信する
ように構成される、請求項１に記載のシステム。
【請求項１２】
前記モバイルデバイスをさらに備え、前記モバイルデバイスは、
前記第２の周波数範囲で帯域外（ＯＯＢ）発見信号を前記フェムトセルアクセスポイントへ送信または前記フェムトセルアクセスポイントから受信することによって、前記フェムトセルアクセスポイントの存在を検出し、
前記フェムトセルアクセスポイントの前記存在を検出したことに応答して、前記第３の周波数範囲を特定し、
前記フェムトセルを選択する
ように構成される、請求項１に記載のシステム。
【請求項１３】
前記モバイルデバイスをさらに備え、前記モバイルデバイスは、
前記第２の周波数範囲で帯域外（ＯＯＢ）発見信号を前記フェムトセルアクセスポイントへ送信または前記フェムトセルアクセスポイントから受信することによって、前記フェムトセルアクセスポイントの存在を検出し、
前記フェムトセルアクセスポイントの前記存在を検出したことに応答して、セルの再選択のために異周波数スキャンを実行し、
前記異周波数スキャンから前記第３の周波数範囲を特定し、
前記フェムトセルを選択する
ように構成される、請求項１に記載のシステム。
【請求項１４】
前記第１の周波数範囲での帯域内ビーコンバースト送信を実行するために、前記第３の送信機は、
前記第１の周波数範囲での低出力の帯域内ビーコンバースト送信を実行するように構成される、
請求項１３に記載のシステム。
【請求項１５】
前記モバイルデバイスは、前記低出力の帯域内ビーコンバースト送信を待機することなく、前記フェムトセルアクセスポイントの前記存在を検出したことに応答して、セルの再選択のために前記異周波数スキャンを実行するように構成される、
請求項１４に記載のシステム。
【請求項１６】
前記第１のトランシーバから前記モバイルデバイスへ送信される前記ＯＯＢ発見信号は、Ｂｌｕｅｔｏｏｔｈページシーケンスを備える、
請求項１に記載のシステム。
【請求項１７】
前記第１のトランシーバから前記モバイルデバイスへ送信される前記ＯＯＢ発見信号は、Ｂｌｕｅｔｏｏｔｈ問い合わせシーケンスを備える、
請求項１に記載のシステム。
【請求項１８】
前記モバイルデバイスから前記第１のトランシーバへ送信される前記ＯＯＢ発見信号は、Ｂｌｕｅｔｏｏｔｈページシーケンスを備える、
請求項１に記載のシステム。
【請求項１９】
前記モバイルデバイスから前記第１のトランシーバへ送信される前記ＯＯＢ発見信号は、Ｂｌｕｅｔｏｏｔｈ問い合わせシーケンスを備える、
請求項１に記載のシステム。
【請求項２０】
複数の追加の周波数範囲での帯域内送信を実行するように構成される、複数の追加のマクロセル送信機をさらに備え、
前記第３の送信機は、前記複数の追加の周波数範囲での帯域内ビーコンバースト送信を実行して、セルの再選択のために異周波数スキャンを実行するようにモバイルデバイスをトリガするように構成される、
請求項１に記載のシステム。
【請求項２１】
前記帯域内ビーコンバースト送信は、ラウンドロビンパターンで、前記第１の周波数範囲から前記複数の追加の周波数範囲の各々へホッピングする、時分割多重化されたビーコンを備える、
請求項２０に記載のシステム。
【請求項２２】
前記第１の周波数範囲に留まっている前記モバイルデバイスは、アクティブ状態またはアイドル状態である、
請求項１に記載のシステム。
【請求項２３】
マクロセル上の第１の周波数範囲に留まっているモバイルデバイスのために、フェムトセルの発見を容易にするように構成されるフェムトセルアクセスポイントであって、
前記第１の周波数範囲と異なる第２の周波数範囲で帯域外（ＯＯＢ）発見信号を前記モバイルデバイスへ送信または前記モバイルデバイスから受信するように構成される、第１のトランシーバと、
前記第１の周波数範囲および前記第２の周波数範囲と異なる第３の周波数範囲での前記モバイルデバイスへの送信を実行するように構成される、第２の送信機と、
前記第１の周波数範囲での前記モバイルデバイスへの帯域内ビーコンバースト送信を実行して、セルの再選択のために異周波数スキャンを実行するように前記モバイルデバイスをトリガするように構成される、第３の送信機と
を備え、前記帯域内ビーコンバースト送信は、前記第１の周波数範囲から他のマクロセル周波数範囲へホッピングする、時分割多重化されたビーコンを備える、フェムトセルアクセスポイント。
【請求項２４】
前記第１の周波数範囲での帯域内ビーコンバースト送信を実行するために、前記第３の送信機は、
前記第１の周波数範囲での低出力の帯域内ビーコンバースト送信を実行するように構成される、
請求項２３に記載のフェムトセルアクセスポイント。
【請求項２５】
前記第１の周波数範囲での帯域内ビーコンバースト送信を実行するために、前記第３の送信機は、
前記第１の周波数範囲での高出力の帯域内ビーコンバースト送信を実行するように構成される、
請求項２３に記載のフェムトセルアクセスポイント。
【請求項２６】
前記第１の周波数範囲での帯域内ビーコンバースト送信は、時分割多重化された信号を備える、
請求項２３に記載のフェムトセルアクセスポイント。
【請求項２７】
前記フェムトセルアクセスポイントは、前記第１のトランシーバ、前記第２の送信機、および前記第３の送信機と通信可能に結合されるコントローラをさらに備え、前記コントローラは、
前記第２の周波数範囲の発見信号をモニタして、モバイルデバイスの存在を検出し、
モバイルデバイスの存在が検出されない時、前記第１の周波数範囲での前記モバイルデバイスへの帯域内ビーコンバースト送信を中断するように構成される、
請求項２３に記載のフェムトセルアクセスポイント。
【請求項２８】
前記フェムトセルアクセスポイントは、前記第１のトランシーバ、前記第２の送信機、および前記第３の送信機と通信可能に結合されるコントローラをさらに備え、前記コントローラは、
前記第２の周波数範囲の発見信号をモニタして、モバイルデバイスの存在を検出し、
１つまたは複数のモバイルデバイスの前記存在が検出される時、前記第１の周波数範囲での前記モバイルデバイスへの帯域内ビーコンバースト送信をアクティブ化する
ように構成される、請求項２３に記載のフェムトセルアクセスポイント。
【請求項２９】
前記第３の周波数にすでに留まっている１つまたは複数のモバイルデバイスの前記存在が検出される時、前記帯域内ビーコンバースト送信は、中断されたままである、
請求項２８に記載のフェムトセルアクセスポイント。
【請求項３０】
前記フェムトセルアクセスポイントは、前記第１のトランシーバおよび前記第２の送信機と通信可能に結合されるコントローラをさらに備え、前記コントローラは、
前記第２の周波数範囲の発見信号をモニタして、前記フェムトセルアクセスポイントに登録されたモバイルデバイスの存在を検出し、
前記フェムトセルアクセスポイントに登録されたモバイルデバイスが検出されない時、前記第１の周波数範囲での前記モバイルデバイスへの帯域内ビーコンバースト送信を中断する
ように構成される、請求項２３に記載のフェムトセルアクセスポイント。
【請求項３１】
前記フェムトセルアクセスポイントは、前記第１のトランシーバおよび前記第２の送信機と通信可能に結合されるコントローラを備え、前記コントローラは、
前記第２の周波数範囲の発見信号をモニタして、前記フェムトセルアクセスポイントに登録されたモバイルデバイスの存在を検出し、
前記フェムトセルアクセスポイントに登録されている１つまたは複数のモバイルデバイスが検出される時、前記第１の周波数範囲での前記モバイルデバイスへの帯域内ビーコンバースト送信をアクティブ化する
ように構成される、請求項２３に記載のフェムトセルアクセスポイント。
【請求項３２】
前記フェムトセルアクセスポイントは、前記第１のトランシーバおよび前記第２の送信機と通信可能に結合されるコントローラを備え、前記コントローラは、
前記第２の周波数範囲の発見信号をモニタして、モバイルデバイスの存在を検出し、
前記フェムトセルアクセスポイントに登録されたモバイルデバイスが検出されない時、第１の間隔で、前記第１の周波数範囲で高出力の帯域内ビーコンバースト送信を送信し、
前記フェムトセルアクセスポイントに登録されたモバイルデバイスが検出されない時、前記第１の間隔よりも短い第２の間隔で、前記第１の周波数範囲で高出力の帯域内ビーコンバースト送信を送信する
ように構成される、請求項２３に記載のフェムトセルアクセスポイント。
【請求項３３】
前記フェムトセルアクセスポイントは、前記第１のトランシーバおよび前記第２の送信機と通信可能に結合されるコントローラを備え、前記コントローラは、
前記第２の周波数範囲の信号をモニタして、モバイルデバイスの存在を検出し、
前記フェムトセルアクセスポイントに登録されたモバイルデバイスが検出されない時、第１の間隔で、前記第１の周波数範囲で低出力の帯域内ビーコンバースト送信を送信し、
前記フェムトセルアクセスポイントに登録されたモバイルデバイスが検出されない時、前記第１の間隔よりも短い第２の間隔で、前記第１の周波数範囲で低出力の帯域内ビーコンバースト送信を送信する
ように構成される、請求項２３に記載のフェムトセルアクセスポイント。
【請求項３４】
前記第１のトランシーバから前記モバイルデバイスへ送信される前記ＯＯＢ発見信号は、Ｂｌｕｅｔｏｏｔｈページシーケンスを備える、
請求項２３に記載のフェムトセルアクセスポイント。
【請求項３５】
前記第１のトランシーバから前記モバイルデバイスへ送信される前記ＯＯＢ発見信号は、Ｂｌｕｅｔｏｏｔｈ問い合わせシーケンスを備える、
請求項２３に記載のフェムトセルアクセスポイント。
【請求項３６】
前記モバイルデバイスから前記第１のトランシーバへ送信される前記ＯＯＢ発見信号は、Ｂｌｕｅｔｏｏｔｈページシーケンスを備える、
請求項２３に記載のフェムトセルアクセスポイント。
【請求項３７】
前記モバイルデバイスから前記第１のトランシーバへ送信される前記ＯＯＢ発見信号は、Ｂｌｕｅｔｏｏｔｈ問い合わせシーケンスを備える、
請求項２３に記載のフェムトセルアクセスポイント。
【請求項３８】
複数の追加の周波数範囲での帯域内送信を実行するように構成される、複数の追加のマクロセル送信機をさらに備え、
前記第３の送信機は、前記複数の追加の周波数での帯域内ビーコンバースト送信を実行して、セルの再選択のために異周波数スキャンを実行するようにモバイルデバイスをトリガするように構成される、
請求項２３に記載のフェムトセルアクセスポイント。
【請求項３９】
前記帯域内ビーコンバースト送信は、ラウンドロビンパターンで、前記第１の周波数範囲から前記複数の追加の周波数範囲の各々へホッピングする、時分割多重化されたビーコンを備える、
請求項３８に記載のフェムトセルアクセスポイント。
【請求項４０】
前記第１の周波数範囲に留まっている前記モバイルデバイスは、アクティブ状態またはアイドル状態である、
請求項２３に記載のフェムトセルアクセスポイント。
【請求項４１】
マクロセル上の第１の周波数範囲に留まっているモバイルデバイスであって、前記モバイルデバイスは、
フェムトセルアクセスポイントにおいて、前記第１の周波数範囲と異なる第２の周波数範囲で帯域外（ＯＯＢ）発見信号を第１のトランシーバへ送信または前記第１のトランシーバから受信することによって、フェムトセルアクセスポイントの存在を検出し、
前記フェムトセルアクセスポイントの前記存在を検出したことに応答して、前記フェムトセルアクセスポイントにおける第２のトランシーバとの通信のための、前記第１の周波数範囲および前記第２の周波数範囲と異なる、第３の周波数範囲を特定し、
前記フェムトセルを選択する
ように構成され、前記フェムトセルアクセスポイントは、前記第１の周波数範囲での帯域内ビーコンバースト送信を実行するように構成される第３の送信機をさらに含み、前記帯域内ビーコンバースト送信は、前記第１の周波数範囲から他のマクロセル周波数範囲へホッピングする、時分割多重化されたビーコンを備える、
モバイルデバイス。
【請求項４２】
マクロセル上の第１の周波数範囲に留まっているモバイルデバイスであって、前記モバイルデバイスは、
フェムトセルアクセスポイントにおいて、前記第１の周波数範囲と異なる第２の周波数範囲で帯域外（ＯＯＢ）発見信号を第１のトランシーバへ送信または前記第１のトランシーバから受信することによって、フェムトセルアクセスポイントの存在を検出し、
前記フェムトセルアクセスポイントの前記存在を検出したことに応答して、セルの再選択のために異周波数スキャンを実行し、
前記異周波数スキャンから、前記フェムトセルアクセスポイントにおける第２のトランシーバとの通信のための、前記第１の周波数範囲および前記第２の周波数範囲と異なる、第３の周波数範囲を特定し、
前記フェムトセルを選択する
ように構成され、前記フェムトセルアクセスポイントは、前記第１の周波数範囲での帯域内ビーコンバースト送信を実行するように構成される第３の送信機をさらに含み、前記帯域内ビーコンバースト送信は、前記第１の周波数範囲から他のマクロセル周波数範囲へホッピングする、時分割多重化されたビーコンを備える、
モバイルデバイス。
【請求項４３】
前記モバイルデバイスは、低出力の帯域内ビーコンバースト送信を待機することなく、前記フェムトセルアクセスポイントの前記存在を検出したことに応答して、セルの再選択のために前記異周波数スキャンを実行するように構成される、
請求項４２に記載のモバイルデバイス。
【請求項４４】
マクロセル上の第１の周波数範囲に留まっているモバイルデバイスのためにフェムトセルの発見を容易にするためのコンピュータプログラムであって、    第１のトランシーバに、前記第１の周波数範囲と異なる第２の周波数範囲で帯域外（ＯＯＢ）発見信号をモバイルデバイスへ送信または前記モバイルデバイスから受信させるためのコードと、
第２の送信機に、前記第１の周波数範囲および前記第２の周波数範囲と異なる第３の周波数範囲での前記モバイルデバイスへの送信を実行させるためのコードと、
第３の送信機に、前記第１の周波数範囲での前記モバイルデバイスへの帯域内ビーコンバースト送信を実行させて、セルの再選択のために異周波数スキャンを実行するように前記モバイルデバイスをトリガさせるためのコードと
を備え、前記帯域内ビーコンバースト送信は、前記第１の周波数範囲から他のマクロセル周波数範囲へホッピングする、時分割多重化されたビーコンを備える、コンピュータプログラム。
【請求項４５】
マクロセル上の第１の周波数範囲に留まっているモバイルデバイスによるフェムトセルの発見を容易にするための装置であって、
前記第１の周波数範囲と異なる第２の周波数範囲で帯域外（ＯＯＢ）発見信号をモバイルデバイスへ送信または前記モバイルデバイスから受信するための手段と、
前記第１の周波数範囲および前記第２の周波数範囲と異なる第３の周波数範囲で前記モバイルデバイスへ通信信号を送信するための手段と、
前記第１の周波数範囲で前記モバイルデバイスへ帯域内ビーコンバースト送信を送信して、セルの再選択のために異周波数スキャンを実行するように前記モバイルデバイスをトリガするための手段と
を備え、前記帯域内ビーコンバースト送信は、前記第１の周波数範囲から他のマクロセル周波数範囲へホッピングする、時分割多重化されたビーコンを備える、装置。
【請求項４６】
マクロセル上の第１の周波数範囲に留まっているモバイルデバイスによるフェムトセルの発見を容易にするための方法であって、
前記第１の周波数範囲と異なる第２の周波数範囲で帯域外（ＯＯＢ）発見信号をモバイルデバイスへ送信または前記モバイルデバイスから受信することと、
前記第１の周波数範囲および前記第２の周波数範囲と異なる第３の周波数範囲で前記モバイルデバイスへ通信信号を送信することと、
前記第１の周波数範囲で前記モバイルデバイスへ帯域内ビーコンバーストを送信して、セルの再選択のために異周波数スキャンを実行するように前記モバイルデバイスをトリガすることと
を備え、前記帯域内ビーコンバースト送信は、前記第１の周波数範囲から他のマクロセル周波数範囲へホッピングする、時分割多重化されたビーコンを備える、方法。
【請求項４７】
帯域内ビーコンバーストを送信することは、
前記第１の周波数範囲で低出力の帯域内ビーコンバーストを送信することを備える、
請求項４６に記載の方法。
【請求項４８】
帯域内ビーコンバーストを送信することは、
前記第１の周波数範囲で高出力の帯域内ビーコンバーストを送信することを備える、
請求項４６に記載の方法。
【請求項４９】
前記第１の周波数範囲での帯域内ビーコンバースト送信は、時分割多重化された信号を備える、
請求項４６に記載の方法。
【請求項５０】
前記第２の周波数範囲の発見信号をモニタして、モバイルデバイスの存在を検出することと、
モバイルデバイスの存在が検出されない時、前記第１の周波数範囲での前記モバイルデバイスへの帯域内ビーコンバースト送信を中断することと
をさらに備える、請求項４６に記載の方法。
【請求項５１】
前記第２の周波数範囲の発見信号をモニタして、モバイルデバイスの存在を検出することと、
１つまたは複数のモバイルデバイスの前記存在が検出される時、前記第１の周波数範囲での前記モバイルデバイスへの帯域内ビーコンバースト送信をアクティブ化することと
をさらに備える、請求項４６に記載の方法。
【請求項５２】
前記第３の周波数にすでに留まっている１つまたは複数のモバイルデバイスの前記存在が検出される時、前記帯域内ビーコンバースト送信が中断されたままである、
請求項５１に記載の方法。
【請求項５３】
前記第２の周波数範囲の発見信号をモニタして、フェムトセルアクセスポイントに登録されたモバイルデバイスの存在を検出することと、
前記フェムトセルアクセスポイントに登録されたモバイルデバイスが検出されない時、前記第１の周波数範囲での前記モバイルデバイスへの帯域内ビーコンバースト送信を中断することと
をさらに備える、請求項４６に記載の方法。
【請求項５４】
前記第２の周波数範囲の発見信号をモニタして、フェムトセルアクセスポイントに登録されたモバイルデバイスの存在を検出することと、
前記フェムトセルアクセスポイントに登録されている１つまたは複数のモバイルデバイスが検出される時、前記第１の周波数範囲での前記モバイルデバイスへの帯域内ビーコンバースト送信をアクティブ化することと
をさらに備える、請求項４６に記載の方法。
【請求項５５】
前記第２の周波数範囲の発見信号をモニタして、モバイルデバイスの存在を検出することと、
フェムトセルアクセスポイントに登録されたモバイルデバイスが検出されない時、第１の間隔で、前記第１の周波数範囲で高出力の帯域内ビーコンバースト送信を送信することと、
前記フェムトセルアクセスポイントに登録されたモバイルデバイスが検出されない時、前記第１の間隔よりも短い第２の間隔で、前記第１の周波数範囲で高出力の帯域内ビーコンバースト送信を送信することと
をさらに備える、請求項４６に記載の方法。
【請求項５６】
前記第２の周波数範囲の信号をモニタして、モバイルデバイスの存在を検出することと、
フェムトセルアクセスポイントに登録されたモバイルデバイスが検出されない時、第１の間隔で、前記第１の周波数範囲で低出力の帯域内ビーコンバースト送信を送信することと、
前記フェムトセルアクセスポイントに登録されたモバイルデバイスが検出されない時、前記第１の間隔よりも短い第２の間隔で、前記第１の周波数範囲で低出力の帯域内ビーコンバースト送信を送信することと
をさらに備える、請求項４６に記載の方法。
【請求項５７】
前記モバイルデバイスへ送信される前記ＯＯＢ発見信号は、Ｂｌｕｅｔｏｏｔｈページシーケンスを備え、
前記モバイルデバイスへ送信される前記ＯＯＢ発見信号は、Ｂｌｕｅｔｏｏｔｈ問い合わせシーケンスを備え、
前記モバイルデバイスから受信される前記ＯＯＢ発見信号は、Ｂｌｕｅｔｏｏｔｈページシーケンスを備え、
前記モバイルデバイスから受信される前記ＯＯＢ発見信号は、Ｂｌｕｅｔｏｏｔｈ問い合わせシーケンスを備える、
請求項４６に記載の方法。
【請求項５８】
複数の追加の周波数範囲で帯域内送信を実行するように構成される、複数の追加のマクロセル送信機をさらに備え、帯域内ビーコンバースト送信は、前記複数の追加の周波数範囲で実行されて、セルの再選択のために異周波数スキャンを実行するようにモバイルデバイスをトリガする、
請求項４６に記載の方法。
【請求項５９】
前記帯域内ビーコンバースト送信は、ラウンドロビンパターンで、前記第１の周波数範囲から前記複数の追加の周波数範囲の各々へホッピングする、時分割多重化されたビーコンを備える、
請求項５８に記載の方法。
【請求項６０】
前記モバイルデバイスから前記第２の周波数範囲で前記帯域外（ＯＯＢ）発見信号を前記受信することは、
前記モバイルデバイスの存在を示すデータを、有線の通信リンクを介して受信することを備える、
請求項４６に記載の方法。
【請求項６１】
前記モバイルデバイスの存在を示す、前記有線の通信リンクを介して受信される前記データは、前記第１の周波数範囲を介して前記モバイルデバイスから送信されるデータを備える、
請求項６０に記載の方法。
【発明の詳細な説明】
【背景技術】
【０００１】
以下は、全般にワイヤレス通信に関し、より具体的には、フェムトセルの発見の間の干渉を軽減することに関する。ワイヤレス通信システムは、音声、ビデオ、パケットデータ、メッセージング、放送など、様々なタイプの通信コンテンツを提供するために広く展開されている。これらのシステムは、利用可能なシステムリソース（たとえば、時間、周波数、および出力）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００２】
一般に、ワイヤレス多元接続通信システムは、各々が複数のモバイル端末のための通信を同時にサポートする、多数の基地局を含み得る。基地局は、ダウンストリームリンクおよびアップストリームリンクで、モバイル端末と通信することができる。各基地局は、セルのカバレージエリアと呼ばれ得るカバレージ範囲を有する。セルラー展開では、マクロセルは、農村、郊外、および都市のエリアのような、広い領域をサービスするセルを表すのに使用される。「フェムトセル」は、より小さなセルであり、家庭、小企業、建物、または他の限られた領域での使用のために通常は展開される。フェムトセルは、ブロードバンド接続を介して、サービスプロバイダのネットワークに接続されることが多い。３ＧＰＰの用語では、フェムトセルは、ＵＭＴＳ（ＷＣＤＭＡ（登録商標）またはＨｉｇｈ  Ｓｐｅｅｄ  Ｐａｃｋｅｔ  Ａｃｃｅｓｓ（ＨＳＰＡ））ではＨｏｍｅ  ＮｏｄｅＢ（ＨＮＢ）、およびＬＴＥではＨｏｍｅ  ｅＮｏｄｅＢ（ＨｅＮＢ）と呼ばれ得る。
【０００３】
マクロセルに留まっておりフェムトセルに近づいているモバイル端末に対しては、フェムトセルが別のキャリアによって運用されている時でも、モバイル端末にフェムトセルを発見させて、フェムトセルへと再選択させることが望ましいことがある。フェムトセルの発見を容易にするために、フェムトセルは、マクロセルの周波数でビーコン信号を送信して、モバイル端末に異周波数探索を実行させることができる。この帯域内ビーコン信号は、マクロセル内で干渉を引き起こすことがあり、この干渉は、マクロセルにおいて、容量とユーザが知覚する性能とを低下させ得る。したがって、このビーコンによって引き起こされる干渉を軽減するために、新規のフェムトセルアーキテクチャを開発することが有益であり得る。
【発明の概要】
【０００４】
説明される特徴は、フェムトセルの発見に関する。説明される態様の適用性のさらなる範囲は、以下の発明を実施するための形態、特許請求の範囲、および図面から明らかになろう。当業者には発明を実施するための形態の趣旨および範囲内の様々な変更および改変が明らかになるので、発明を実施するための形態および特定の例は単に例として与えるものである。
【０００５】
ワイヤレス通信システムにおけるフェムトセルの発見の間の干渉を軽減するための、システム、方法、デバイス、およびコンピュータプログラム製品が説明される。一例では、モバイルデバイスは、マクロセルに留まっていることがある。フェムトセルは、帯域外発見信号（たとえば、Ｂｌｕｅｔｏｏｔｈ（登録商標）信号）をモバイルデバイスへ送信またはモバイルデバイスから受信して、存在の検出を容易にする。フェムトセルはまた、帯域内ビーコンバースト（たとえば、低出力または高出力のビーコンバースト）を、マクロセル周波数範囲でモバイルデバイスへ送信し、セルの再選択のために異周波数スキャンを実行するようにモバイルデバイスをトリガするように構成され得る。モバイルデバイスがフェムトセルを発見し、選択した後、フェムトセルは、フェムトセル周波数範囲で通信信号をモバイルデバイスへ送信することができ、フェムトセル周波数範囲はマクロセル周波数範囲と異なる。
【０００６】
フェムトセルの発見のためのシステムの例は、マクロセル上の第１の周波数範囲に留まっているモバイルデバイスを含み得る。システムはまた、第１の周波数範囲と異なる第２の周波数範囲で帯域外（ＯＯＢ）発見信号をモバイルデバイスへ送信またはモバイルデバイスから受信するように構成される第１のトランシーバと、第１の周波数範囲および第２の周波数範囲と異なる第３の周波数範囲でのモバイルデバイスへの送信を実行するように構成される第２のトランシーバと、第１の周波数範囲でのモバイルデバイスへの帯域内ビーコンバースト送信を実行して、セルの再選択のために異周波数スキャンを実行するようにモバイルデバイスをトリガするように構成される第３の送信機とを有する、フェムトセルアクセスポイントを含み得る。
【０００７】
そのようなシステムの例は、第１の周波数範囲での低出力の帯域内ビーコンバースト送信、および／または第１の周波数範囲での高出力の帯域内ビーコンバースト送信を実行する、第３の送信機を含み得る。そのようなシステムの例は、時分割多重化された信号を備え得る、第１の周波数範囲での帯域内ビーコンバースト送信を含み得る。
【０００８】
システムのフェムトセルアクセスポイントは、第１のトランシーバ、第２の送信機、および第３の送信機と通信可能に結合されたコントローラを含んでよく、このコントローラは、第２の周波数範囲の発見信号をモニタしてモバイルデバイスの存在を検出し、モバイルデバイスの存在が検出されない時、モバイルデバイスへの第１の周波数範囲での帯域内ビーコンバースト送信を中断するように構成され得る。システムのフェムトセルアクセスポイントは、第１のトランシーバ、第２の送信機、および第３の送信機と通信可能に結合されたコントローラを含んでよく、このコントローラは、第２の周波数範囲の発見信号をモニタしてモバイルデバイスの存在を検出し、１つまたは複数のモバイルデバイスの存在が検出される時、モバイルデバイスへの第１の周波数範囲での帯域内ビーコンバースト送信をアクティブ化するように構成され得る。アクティブ化された帯域内ビーコンバースト送信は、第１の周波数範囲から他のマクロセル周波数範囲へホッピングする、時分割多重化されたビーコンを備え得る。第３の周波数にすでに留まっている１つまたは複数のモバイルデバイスの存在が検出される時、帯域内ビーコンバースト送信は中断されたままであってよい。
【０００９】
システムのフェムトセルアクセスポイントは、第１のトランシーバおよび第２の送信機と通信可能に結合されたコントローラを含んでよく、このコントローラは、第２の周波数範囲の発見信号をモニタしてフェムトセルアクセスポイントに登録されたモバイルデバイスの存在を検出し、フェムトセルアクセスポイントに登録されたモバイルデバイスが検出されない時、モバイルデバイスへの第１の周波数範囲での帯域内ビーコンバースト送信を中断するように構成され得る。システムのフェムトセルアクセスポイントは、第１のトランシーバおよび第２の送信機と通信可能に結合されたコントローラを含んでよく、このコントローラは、第２の周波数範囲の発見信号をモニタしてフェムトセルアクセスポイントに登録されたモバイルデバイスの存在を検出し、フェムトセルアクセスポイントに登録された１つまたは複数のモバイルデバイスが検出される時、モバイルデバイスへの第１の周波数範囲での帯域内ビーコンバースト送信をアクティブ化するように構成され得る。アクティブ化された帯域内ビーコンバースト送信は、第１の周波数範囲から他のマクロセル周波数範囲へホッピングする、時分割多重化されたビーコンを備え得る。
【００１０】
システムのフェムトセルアクセスポイントは、第１のトランシーバおよび第２の送信機と通信可能に結合されたコントローラを含んでよく、このコントローラは、第２の周波数範囲の発見信号をモニタしてモバイルデバイスの存在を検出し、フェムトセルアクセスポイントに登録されたモバイルデバイスが検出されない時、第１の間隔で、第１の周波数範囲で高出力の帯域内ビーコンバースト送信を送信し、フェムトセルアクセスポイントに登録されたモバイルデバイスが検出されない時、第１の間隔よりも短い第２の間隔で、第１の周波数範囲で高出力の帯域内ビーコンバースト送信を送信するように構成され得る。システムのフェムトセルアクセスポイントは、第１のトランシーバおよび第２の送信機と通信可能に結合されたコントローラを含んでよく、このコントローラは、第２の周波数範囲の信号をモニタしてモバイルデバイスの存在を検出し、フェムトセルアクセスポイントに登録されたモバイルデバイスが検出されない時、第１の間隔で、第１の周波数範囲で低出力の帯域内ビーコンバースト送信を送信し、フェムトセルアクセスポイントに登録されたモバイルデバイスが検出されない時、第１の間隔よりも短い第２の間隔で、第１の周波数範囲で低出力の帯域内ビーコンバースト送信を送信するように構成され得る。
【００１１】
システムはさらに、第２の周波数範囲のＯＯＢ発見信号をフェムトセルアクセスポイントへ送信またはフェムトセルアクセスポイントから受信することによって、フェムトセルアクセスポイントの存在を検出し、フェムトセルアクセスポイントの存在を検出したことに応答して、第３の周波数範囲を特定し、フェムトセルを選択するように構成され得る、モバイルデバイスを含み得る。モバイルデバイスは、第２の周波数範囲のＯＯＢ発見信号をフェムトセルアクセスポイントへ送信またはフェムトセルアクセスポイントから受信することによって、フェムトセルアクセスポイントの存在を検出し、フェムトセルアクセスポイントの存在を検出したことに応答して、セルの再選択のために異周波数スキャンを実行し、異周波数スキャンから第３の周波数範囲を特定し、フェムトセルを選択するように構成され得る。第３の送信機は、第１の周波数範囲での低出力の帯域内ビーコンバースト送信を実行するように構成されてよく、モバイルデバイスは、低出力の帯域内ビーコンバースト送信を待機することなく、フェムトセルアクセスポイントの存在を検出したことに応答して、セルの再選択のために異周波数スキャンを実行することができる。
【００１２】
第１のトランシーバからモバイルデバイスへのＯＯＢ発見信号は、ＢｌｕｅｔｏｏｔｈページシーケンスまたはＢｌｕｅｔｏｏｔｈ問い合わせシーケンスを備えてよく、モバイルデバイスから第１のトランシーバへのＯＯＢ発見信号は、ＢｌｕｅｔｏｏｔｈページシーケンスまたはＢｌｕｅｔｏｏｔｈ問い合わせシーケンスを備えてよい。システムは、複数の追加の周波数範囲で帯域内送信を実行するように構成される、多数の追加のマクロセル送信機を含んでよく、第３の送信機は、複数の追加の周波数範囲で帯域内ビーコンバースト送信を実行して、セルの再選択のために異周波数スキャンを実行するようにモバイルデバイスをトリガするように構成される。システムは、ラウンドロビンパターンで、第１の周波数範囲から複数の追加の周波数範囲の各々へホッピングする、時分割多重化されたビーコンを備え得る、帯域内ビーコンバースト送信を含み得る。モバイルデバイスは、アクティブ状態またはアイドル状態で、第１の周波数範囲に留まってよい。
【００１３】
例の別のセットでは、マクロセル上の第１の周波数範囲に留まっているモバイルデバイスのためにフェムトセルの発見を容易にするように構成されるフェムトセルアクセスポイントは、第１の周波数範囲と異なる第２の周波数範囲でＯＯＢ発見信号をモバイルデバイスへ送信またはモバイルデバイスから受信するように構成される第１のトランシーバと、第１の周波数範囲および第２の周波数範囲と異なる第３の周波数範囲でのモバイルデバイスへの送信を実行するように構成される第２のトランシーバと、第１の周波数範囲でのモバイルデバイスへの帯域内ビーコンバースト送信を実行して、セルの再選択のために異周波数スキャンを実行するようにモバイルデバイスをトリガするように構成される第３の送信機とを含む。
【００１４】
第３の送信機は、第１の周波数範囲での低出力の帯域内ビーコンバースト送信を実行し、かつ／または第１の周波数範囲での高出力の帯域内ビーコンバースト送信を実行するように構成され得る。例示的なフェムトセルアクセスポイントは、第１の周波数範囲での帯域内ビーコンバースト送信が時分割多重化された信号を備えるように、構成され得る。
【００１５】
フェムトセルアクセスポイントはさらに、第１のトランシーバ、第２の送信機、および第３の送信機と通信可能に結合されたコントローラを備えてよく、このコントローラは、第２の周波数範囲の発見信号をモニタしてモバイルデバイスの存在を検出し、モバイルデバイスの存在が検出されない時、モバイルデバイスへの第１の周波数範囲での帯域内ビーコンバースト送信を中断するように構成され得る。例示的なフェムトセルアクセスポイントはさらに、第１のトランシーバ、第２の送信機、および第３の送信機と通信可能に結合されたコントローラを備えてよく、このコントローラは、第２の周波数範囲の発見信号をモニタしてモバイルデバイスの存在を検出し、１つまたは複数のモバイルデバイスの存在が検出される時、モバイルデバイスへの第１の周波数範囲での帯域内ビーコンバースト送信をアクティブ化するように構成され得る。アクティブ化された帯域内ビーコンバースト送信は、第１の周波数範囲から他のマクロセル周波数範囲へホッピングする、時分割多重化されたビーコンを備え得る。第３の周波数にすでに留まっている１つまたは複数のモバイルデバイスの存在が検出される時、帯域内ビーコンバースト送信は中断されたままであってよい。
【００１６】
フェムトセルアクセスポイントはさらに、第１のトランシーバおよび第２の送信機と通信可能に結合されたコントローラを備えてよく、このコントローラは、第２の周波数範囲の発見信号をモニタしてフェムトセルアクセスポイントに登録されたモバイルデバイスの存在を検出し、フェムトセルアクセスポイントに登録されたモバイルデバイスが検出されない時、モバイルデバイスへの第１の周波数範囲での帯域内ビーコンバースト送信を中断するように構成され得る。フェムトセルアクセスポイントはさらに、第１のトランシーバおよび第２の送信機と通信可能に結合されたコントローラを備えてよく、このコントローラは、第２の周波数範囲の発見信号をモニタしてフェムトセルアクセスポイントに登録されたモバイルデバイスの存在を検出し、フェムトセルアクセスポイントに登録された１つまたは複数のモバイルデバイスが検出される時、モバイルデバイスへの第１の周波数範囲での帯域内ビーコンバースト送信をアクティブ化するように構成され得る。アクティブ化された帯域内ビーコンバースト送信は、第１の周波数範囲から他のマクロセル周波数範囲へホッピングする、時分割多重化されたビーコンを備え得る。
【００１７】
フェムトセルアクセスポイントはさらに、第１のトランシーバおよび第２の送信機と通信可能に結合されたコントローラを備えてよく、このコントローラは、第２の周波数範囲の発見信号をモニタしてモバイルデバイスの存在を検出し、フェムトセルアクセスポイントに登録されたモバイルデバイスが検出されない時、第１の間隔で、第１の周波数範囲で高出力の帯域内ビーコンバースト送信を送信し、フェムトセルアクセスポイントに登録されたモバイルデバイスが検出されない時、第１の間隔よりも短い第２の間隔で、第１の周波数範囲で高出力の帯域内ビーコンバースト送信を送信するように構成され得る。
【００１８】
フェムトセルアクセスポイントはさらに、第１のトランシーバおよび第２の送信機と通信可能に結合されたコントローラを備えてよく、このコントローラは、第２の周波数範囲の信号をモニタしてモバイルデバイスの存在を検出し、フェムトセルアクセスポイントに登録されたモバイルデバイスが検出されない時、第１の間隔で、第１の周波数範囲で低出力の帯域内ビーコンバースト送信を送信し、フェムトセルアクセスポイントに登録されたモバイルデバイスが検出されない時、第１の間隔よりも短い第２の間隔で、第１の周波数範囲で低出力の帯域内ビーコンバースト送信を送信するように構成され得る。
【００１９】
第１のトランシーバからモバイルデバイスへ送信されるＯＯＢ発見信号は、ＢｌｕｅｔｏｏｔｈページシーケンスまたはＢｌｕｅｔｏｏｔｈ問い合わせシーケンスを備え得る。モバイルデバイスから第１のトランシーバへ送信されるＯＯＢ発見信号は、ＢｌｕｅｔｏｏｔｈページシーケンスまたはＢｌｕｅｔｏｏｔｈ問い合わせシーケンスを備え得る。フェムトセルアクセスポイントはさらに、複数の追加の周波数範囲での帯域内送信を実行するように構成される、複数の追加のマクロセル送信機を含んでよく、第３の送信機は、複数の追加の周波数での帯域内ビーコンバースト送信を実行して、セルの再選択のために異周波数スキャンを実行するようにモバイルデバイスをトリガするように構成される。これらの帯域内ビーコンバースト送信は、ラウンドロビンパターンで、第１の周波数範囲から複数の追加の周波数範囲の各々へホッピングする、時分割多重化されたビーコンを備え得る。フェムトセルアクセスポイントはまた、アクティブ状態またはアイドル状態で、第１の周波数範囲に留まっているモバイルデバイスを含み得る。
【００２０】
例の別のセットでは、マクロセル上の第１の周波数範囲に留まっているモバイルデバイスは、フェムトセルアクセスポイントにおいて、第１の周波数範囲と異なる第２の周波数範囲でＯＯＢ発見信号を第１のトランシーバへ送信または第１のトランシーバから受信することによって、フェムトセルアクセスポイントの存在を検出し、フェムトセルアクセスポイントの存在を検出したことに応答して、フェムトセルアクセスポイントにおける第２のトランシーバとの通信のための、第１の周波数範囲および第２の周波数範囲と異なる第３の周波数範囲を特定し、フェムトセルを選択するように構成されてよく、フェムトセルアクセスポイントはさらに、第１の周波数範囲での帯域内ビーコンバースト送信を実行するように構成される第３の送信機を含む。
【００２１】
モバイルデバイスは、フェムトセルアクセスポイントにおいて、第１の周波数範囲と異なる第２の周波数範囲でＯＯＢ発見信号を第１のトランシーバへ送信または第１のトランシーバから受信することによって、フェムトセルアクセスポイントの存在を検出し、フェムトセルアクセスポイントの存在を検出したことに応答して、セルの再選択のために異周波数スキャンを実行し、フェムトセルアクセスポイントにおける第２のトランシーバとの通信のための、第１の周波数範囲および第２の周波数範囲と異なる第３の周波数範囲を、異周波数スキャンから特定し、フェムトセルを選択するように構成されてよく、フェムトセルアクセスポイントはさらに、第１の周波数範囲での帯域内ビーコンバースト送信を実行し、低出力の帯域内ビーコンバースト送信を待機することなく、フェムトセルアクセスポイントの存在を検出したことに応答して、セルの再選択のために異周波数スキャンを実行するように構成される、第３の送信機を含む。
【００２２】
例のさらに別のセットでは、マクロセル上の第１の周波数範囲に留まっているモバイルデバイスのためにフェムトセルの発見を容易にするためのコンピュータプログラム製品は、第１のトランシーバに、第１の周波数範囲と異なる第２の周波数範囲でＯＯＢ発見信号をモバイルデバイスへ送信またはモバイルデバイスから受信させるためのコードと、第２の送信機に、第１の周波数範囲および第２の周波数範囲と異なる第３の周波数範囲でのモバイルデバイスへの送信を実行させるためのコードと、第３の送信機に、第１の周波数範囲でのモバイルデバイスへの帯域内ビーコンバースト送信を実行させて、セルの再選択のために異周波数スキャンを実行するようにモバイルデバイスをトリガさせるためのコードとを含み得る、コンピュータ可読媒体を含み得る。
【００２３】
例の別のセットでは、マクロセル上の第１の周波数範囲に留まっているモバイルデバイスによるフェムトセルの発見を容易にするための装置は、第１の周波数範囲と異なる第２の周波数範囲でＯＯＢ発見信号をモバイルデバイスへ送信またはモバイルデバイスから受信するための手段と、第１の周波数範囲および第２の周波数範囲と異なる第３の周波数範囲でモバイルデバイスへ通信信号を送信するための手段と、第１の周波数範囲でモバイルデバイスへ帯域内ビーコンバースト送信を送信して、セルの再選択のために異周波数スキャンを実行するようにモバイルデバイスをトリガするための手段とを含み得る。
【００２４】
例の別のセットでは、マクロセル上の第１の周波数範囲に留まっているモバイルデバイスによるフェムトセルの発見を容易にするための方法は、第１の周波数範囲と異なる第２の周波数範囲でＯＯＢ発見信号をモバイルデバイスへ送信またはモバイルデバイスから受信することと、第１の周波数範囲および第２の周波数範囲と異なる第３の周波数範囲でモバイルデバイスへ通信信号を送信することと、第１の周波数範囲でモバイルデバイスへ帯域内ビーコンバーストを送信して、セルの再選択のために異周波数スキャンを実行するようにモバイルデバイスをトリガすることとを含み得る。
【００２５】
帯域内ビーコンバーストは、第１の周波数範囲での低出力の帯域内ビーコンバーストおよび／または第１の周波数範囲での高出力の帯域内ビーコンバーストを含み得る。第１の周波数範囲での帯域内ビーコンバースト送信は、時分割多重化された信号を備え得る。
【００２６】
方法はまた、第２の周波数範囲の発見信号をモニタして、モバイルデバイスの存在を検出することと、モバイルデバイスの存在が検出されない時、モバイルデバイスへの第１の周波数範囲での帯域内ビーコンバースト送信を中断することと、第２の周波数範囲の発見信号をモニタして、モバイルデバイスの存在を検出することと、１つまたは複数のモバイルデバイスの存在が検出される時、モバイルデバイスへの第１の周波数範囲での帯域内ビーコンバースト送信をアクティブ化することとを備え得る。アクティブ化された帯域内ビーコンバースト送信は、第１の周波数範囲から他のマクロセル周波数範囲へホッピングする、時分割多重化されたビーコンを備え得る。第３の周波数にすでに留まっている１つまたは複数のモバイルデバイスの存在が検出される時、帯域内ビーコンバースト送信は中断されたままであってよい。
【００２７】
方法はまた、第２の周波数範囲の発見信号をモニタしてフェムトセルアクセスポイントに登録されたモバイルデバイスの存在を検出することと、フェムトセルに登録されたモバイルデバイスが検出されない時、モバイルデバイスへの第１の周波数範囲での帯域内ビーコンバースト送信を中断することとを含み得る。さらに、または代替的に、例示的な方法は、第２の周波数範囲の発見信号をモニタしてフェムトセルアクセスポイントに登録されたモバイルデバイスの存在を検出することと、フェムトセルに登録された１つまたは複数のモバイルデバイスが検出される時、モバイルデバイスへの第１の周波数範囲での帯域内ビーコンバースト送信をアクティブ化することとを含み得る。アクティブ化された帯域内ビーコンバースト送信は、第１の周波数範囲から他のマクロセル周波数範囲へホッピングする、時分割多重化されたビーコンを備え得る。
【００２８】
さらに、または代替的に、方法は、第２の周波数範囲の発見信号をモニタしてモバイルデバイスの存在を検出することと、フェムトセルアクセスポイントに登録されたモバイルデバイスが検出されない時、第１の間隔で、第１の周波数範囲で高出力の帯域内ビーコンバースト送信を送信することと、フェムトセルアクセスポイントに登録されたモバイルデバイスが検出されない時、第１の間隔よりも短い第２の間隔で、第１の周波数範囲で高出力の帯域内ビーコンバースト送信を送信することとを含み得る。さらに、または代替的に、方法は、第２の周波数範囲の信号をモニタしてモバイルデバイスの存在を検出することと、フェムトセルアクセスポイントに登録されたモバイルデバイスが検出されない時、第１の間隔で、第１の周波数範囲で低出力の帯域内ビーコンバースト送信を送信することと、フェムトセルアクセスポイントに登録されたモバイルデバイスが検出されない時、第１の間隔よりも短い第２の間隔で、第１の周波数範囲で低出力の帯域内ビーコンバースト送信を送信することとを含み得る。
【００２９】
モバイルデバイスへ送信されるＯＯＢ発見信号は、ＢｌｕｅｔｏｏｔｈページシーケンスまたはＢｌｕｅｔｏｏｔｈ問い合わせシーケンスを備え得る。モバイルデバイスから受信されるＯＯＢ発見信号は、ＢｌｕｅｔｏｏｔｈページシーケンスまたはＢｌｕｅｔｏｏｔｈ問い合わせシーケンスを備え得る。例示的な方法は、複数の追加の周波数範囲で帯域内送信を実行するように構成される、複数の追加のマクロセル送信機も含んでよく、帯域内ビーコンバースト送信が、複数の追加の周波数範囲で実行されて、セルの再選択のために異周波数スキャンを実行するようにモバイルデバイスをトリガする。帯域内ビーコンバースト送信は、ラウンドロビンパターンで、第１の周波数範囲から複数の追加の周波数範囲の各々へホッピングする、時分割多重化されたビーコンを備え得る。第２の周波数範囲のＯＯＢ発見信号は、モバイルデバイスの存在を示す、有線の通信リンクを介して受信するデータを備え得る。モバイルデバイスの存在を示す、有線の通信リンクを介して受信されるデータは、第１の周波数範囲を介してモバイルデバイスから送信されるデータを備え得る。
【図面の簡単な説明】
【００３０】
以下の図面を参照すれば、本発明の性質および利点のさらなる理解が得られ得る。添付の図において、同様のコンポーネントまたは特徴は同じ参照ラベルを有し得る。さらに、同じタイプの様々なコンポーネントは、ダッシュによる参照ラベルと、それらの同様のコンポーネント同士を区別する第２のラベルとに従って、区別され得る。第１の参照ラベルのみが明細書において使用される場合、その説明は、第２の参照ラベルにかかわらず、同じ第１の参照ラベルを有する同様のコンポーネントのうちのいずれの１つにも適用可能である。
【図１】ワイヤレス通信システムを示すブロック図。
【図２】ワイヤレス通信システム内のフェムトセルアクセスポイントを示すブロック図。
【図３】フェムトセルアクセスポイントの代替的なアーキテクチャを示すブロック図。
【図４】プロセッサモジュールの例を示すブロック図。
【図５】モバイルデバイスを示すブロック図。
【図６Ａ】フェムトセルの発見を容易にするように構成されたフェムトセルアクセスポイントを示すブロック図。
【図６Ｂ】フェムトセルの発見を容易にするように構成された代替的なフェムトセルアクセスポイントを示すブロック図。
【図７Ａ】フェムトセルの発見の間の干渉を軽減するための方法のフローチャート。
【図７Ｂ】フェムトセルの発見の間の干渉を軽減するための代替的な方法のフローチャート。
【図８Ａ】フェムトセルの発見の間の干渉を軽減するための方法のフローチャート。
【図８Ｂ】フェムトセルの発見の間の干渉を軽減するための方法のフローチャート。
【図９】モバイルデバイスの機能が拡張された状態でのフェムトセルの発見のための方法のフローチャート。
【図１０】フェムトセルの発見の間のビーコン干渉を動的に制限する方法のフローチャート。
【図１１】フェムトセルの発見の間の干渉を軽減するための方法のフローチャート。
【発明を実施するための形態】
【００３１】
ワイヤレス通信システムにおけるフェムトセルの発見の間のマクロセル干渉を軽減するための、システム、方法、デバイス、およびコンピュータプログラム製品が説明される。一例では、モバイルデバイスは、（たとえば、アイドルモードまたはアクティブモードで）マクロセルに留まっていることがある。フェムトセルは、帯域外（ＯＯＢ）発見信号をモバイルデバイスへ送信し、またはＯＯＢ帯域発見信号をモバイルデバイスから受信して、存在の検出を容易にする。フェムトセルはまた、帯域内ビーコンバースト（たとえば、低出力または高出力のビーコンバースト）を、マクロセル周波数範囲でモバイルデバイスへ送信し、セルの再選択のために異周波数スキャンを実行するようにモバイルデバイスをトリガするように構成され得る。フェムトセルは、モバイルデバイスがフェムトセルを発見し選択した後、フェムトセル周波数範囲（マクロセル周波数範囲と異なる）で、通信信号をモバイルデバイスへ送信することができる。
【００３２】
本明細書で説明する技法は、ＣＤＭＡ、ＴＤＭＡ、ＦＤＭＡ、およびＯＦＤＭＡのような、様々なワイヤレス通信システムのために使用され得る。「システム」および「ネットワーク」という用語は、しばしば互換的に使用される。ＣＤＭＡシステムは、ＣＤＭＡ２０００、Ｕｎｉｖｅｒｓａｌ  Ｔｅｒｒｅｓｔｒｉａｌ  Ｒａｄｉｏ  Ａｃｃｅｓｓ（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、Ｈｉｇｈ  Ｒａｔｅ  Ｐａｃｋｅｔ  Ｄａｔａ（ＨＲＰＤ）などと呼ばれる。ＵＴＲＡは、Ｗｉｄｅｂａｎｄ  ＣＤＭＡ（ＷＣＤＭＡ）およびＣＤＭＡの他の変形を含む。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装し得る。ＯＦＤＭＡシステムは、Ｕｌｔｒａ  Ｍｏｂｉｌｅ  Ｂｒｏａｄｂａｎｄ（ＵＭＢ）、Ｅｖｏｌｖｅｄ  ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の団体からの文書に記載されている。ＣＤＭＡ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文書に記載されている。本明細書で説明する技法は、上記のシステムおよび無線技術、ならびに他のシステムおよび無線技術のために使用され得る。
【００３３】
したがって、以下の説明は、例を与えるものであり、特許請求の範囲において記載される範囲、適用性、または構成を限定するものではない。本開示の趣旨および範囲から逸脱することなく、論じられる要素の機能および構成において変更が行われ得る。様々な実施形態は、適宜、様々な手順またはコンポーネントを省略、置換、または追加し得る。たとえば、説明される方法は、説明される順序とは異なる順序で実行されてよく、様々なステップが追加、省略、または結合されてよい。また、いくつかの実施形態に関して説明される特徴は、他の実施形態で結合されてよい。
【００３４】
最初に図１を参照すると、ブロック図が、ワイヤレス通信システム１００の例を示す。システム１００は、セル１１０の中に配置されたベーストランシーバ基地局（ＢＴＳ）１０５と、モバイルデバイス１１５と、基地局コントローラ（ＢＳＣ）１２０と、フェムトセルアクセスポイント（ＦＡＰ）１２５とを含む。システム１００は、複数のキャリア（異なる周波数の波形信号）上での動作をサポートし得る。マルチキャリア送信機は、複数のキャリア上で同時に、変調された信号を送信することができる。各々の変調された信号は、ＣＤＭＡ信号、ＴＤＭＡ信号、ＯＦＤＭＡ信号、ＳＣ−ＦＤＭＡ信号などであり得る。各々の変調された信号は、異なるキャリア上で送信されてよく、制御情報（たとえば、パイロット信号）、オーバーヘッド情報、データなどを搬送し得る。システム１００は、マルチキャリアＬＴＥシステムであってよく、ＢＴＳ  １０５はｅＮｏｄｅＢを表す。システム１００は、マルチキャリアＬＴＥシステムであってよく、ＢＴＳ  １０５はＮｏｄｅＢを表し、ＢＳＣ  １２０は無線ネットワークコントローラ（ＲＮＣ）を表す。システム１００は、ＣＤＭＡ  １ＸシステムまたはＷｉＭａｘシステムでもあってよい。
【００３５】
ＢＴＳ  １０５は、基地局アンテナを介してモバイルデバイス１１５とワイヤレスに通信することができる。ＢＴＳ  １０５は、１つまたは複数のキャリア（キャリアは集合的に、ある周波数範囲を専有し、またはある周波数範囲に相当し得る）を介して、ＢＳＣ  １２０の制御の下で、モバイルデバイス１１５と通信するように構成される。ＢＴＳ  １０５の各々は、それぞれの地理的なエリア、ここではセル１１０−ａ、１１０−ｂ、または１１０−ｃに対して、通信カバレージを提供することができる。システム１００は、異なるタイプのＢＴＳ  １０５（たとえば、マクロ基地局、マイクロ基地局、および／またはピコ基地局）を含んでよいが、議論の上では、マクロセルという用語は、これらの異なるセルのタイプの各々およびすべてを指すのに使用される。
【００３６】
モバイルデバイス１１５は、セル１１０全体に分散し得る。モバイルデバイス１１５は、セルラー電話、他のワイヤレス通信デバイス、携帯情報端末（ＰＤＡ）、他のハンドヘルドデバイス、ネットブック、ノートブックコンピュータ、ラップトップなどであってよい。モバイルデバイス１１５は、移動局、ユーザ装置（ＵＥ）、アクセス端末（ＡＴ）、または加入者ユニットを含み得る。
【００３７】
議論のために、モバイルデバイス１１５は最初、複数のＢＴＳ  １０５（この場合も、マクロＢＴＳ  １０５およびマクロセルネットワークが、マクロセルまたはピコセルに適用可能な原理を例示するために使用される）によって容易にされるマクロセルネットワークで動作している（たとえば、マクロセルネットワークに「留まっている」）と仮定され得る。各マクロＢＴＳ  １０５は、比較的広い地理的エリア（たとえば、半径数キロメートル）をカバーすることができ、サービスに加入している端末による無制限のアクセスを可能にし得る。モバイルデバイス１１５の一部はまた、マクロセル１１０−ａのカバレージエリア内で、フェムトセルカバレージエリア１１０−ｄの中で動作する（たとえば、ＦＡＰ  １２５と通信する）ように登録され得る。モバイルデバイス１１５がフェムトセルに近づくにつれて、モバイルデバイス１１５がＦＡＰ  １２５へマクロＢＴＳ  １０５から移行できるように、ＦＡＰ  １２５の存在をモバイルデバイス１１５が認識するための、新規の機構が必要であり得る。
【００３８】
モバイルデバイス１１５は、一般に、高度なモバイル動作を容易にするために、小さなバッテリーのような内部電源を使用して動作するので、モバイルデバイスの電力消費を軽減するために、フェムトセルの戦略的展開が使用され得る。フェムトセルはまた、（たとえば、容量制限、帯域幅制限、信号フェージング、信号シャドーイングなどのために）本来は十分なサービスを経験できない、またはいかなるサービスも経験できない可能性のあるエリア内でサービスを提供するために利用されてよく、それにより、モバイルデバイス１１５が探索時間を低減し、送信出力を低減し、送信時間を短縮することなどが可能になる。ＦＡＰ  １２５は、比較的狭いサービスエリア内（たとえば、家屋または建物の中）でサービスを提供し得る。したがって、モバイルデバイス１１５は一般に、サービスされている時、フェムトセル１１０−ｄの近くに配置され、モバイルデバイス１１５が低減された送信出力で通信することをしばしば可能にする。
【００３９】
例として、フェムトセルは、Ｈｏｍｅ  ＮｏｄｅＢ（「ＨＮＢ」）またはＨｏｍｅ  ｅＮｏｄｅＢ（ＨｅＮＢ）として実装されてよく、住宅、オフィスビルなどのユーザ構内に位置し得る。フェムトアクセスポイント（ＦＡＰ）１２５は、以下では全般に、任意のフェムトセルアクセスポイントを説明するために使用され、制限として解釈されるべきではない。ＦＡＰ  １２５の位置は、（たとえば、窓の近くでの）全地球測位衛星（ＧＰＳ）信号へのアクセス、または他の位置でのアクセスを可能にするように、最大のカバレージのために（たとえば、中心の位置に）選定され得る。本明細書の開示では、モバイルデバイス１１５のセットが、実質的にユーザの敷地全体にわたってカバレージを提供する、単一のＦＡＰ  １２５に（たとえば、その単一のＦＡＰ  １２５のホワイトリストに）登録されると仮定する。「ホーム」ＦＡＰ  １２５は、マクロセル通信ネットワークへの接続を介して、モバイルデバイス１１５に通信サービスへのアクセスを提供する。本明細書で使用するマクロセル通信マクロネットワークは、ワイヤレスワイドエリアネットワーク（ＷＷＡＮ）であると仮定される。したがって、「マクロセルネットワーク」および「ＷＷＡＮネットワーク」のような用語は交換可能である。同様の技法は、本開示または特許請求の範囲から逸脱することなく、他のタイプのネットワーク環境、ＦＡＰカバレージトポロジーなどに適用され得る。
【００４０】
ワイヤレス通信システムにおけるフェムトセルの発見の間のマクロセル干渉を軽減するための、システム、方法、デバイス、およびコンピュータプログラム製品が説明される。例示的な構成では、ＦＡＰ  １２５は、１つまたは複数のＯＯＢシグナリングトランシーバと統合され得る。ＦＡＰ  １２５は、ＯＯＢ発見信号（たとえば、Ｂｌｕｅｔｏｏｔｈページまたは問い合わせ信号）をモバイルデバイス１１５へ送信またはモバイルデバイス１１５から受信して、存在の検出を容易にすることができる。ＦＡＰ  １２５はまた、マクロセル周波数範囲で帯域内ビーコンバースト（たとえば、低出力または高出力のビーコンバースト）をモバイルデバイス１１５へ送信して、セルの再選択のために異周波数スキャンを実行するようにモバイルデバイス１１５をトリガするように構成され得る（異周波数スキャンは、ビーコンに、マクロセルのＣＰＩＣＨ  Ｅｃ／ＩｏをＱｑｕａｌｍｉｎ＋Ｓｉｎｔｅｒｓｅａｒｃｈよりも小さくさせることによって、トリガされ得る）。しかし、そのようなビーコンの使用は干渉を引き起こし得る。これらのビーコンの使用を制限することが、以下でより詳細に論じられる。ＦＡＰ  １２５は、モバイルデバイス１１５がフェムトセルを発見し選択した後、フェムトセル周波数範囲（マクロセル周波数範囲と異なる）で、通信信号をモバイルデバイス１１５へ送信することができる。
【００４１】
本明細書で使用する「周波数範囲」という用語は、特定のマクロセルもしくはフェムトセルに割り振られた、またはＯＯＢシグナリングのための、周波数スペクトルを指すために使用され得る。フェムトセル周波数範囲は、ＷＷＡＮ通信に割り振られた周波数のセットの中の第１の周波数チャネルであってよく、マクロセル周波数範囲は、ＷＷＡＮ通信に割り振られた周波数のセットの中の第２の周波数チャネルであってよい。追加のマクロセル周波数範囲は、ＷＷＡＮ通信に割り振られた周波数のセットの中の他の周波数チャネルを占有してよい。帯域内ビーコンバーストは、異なるマクロセル周波数範囲の間をホッピングするように、時分割多重化されてよい。
【００４２】
「低出力の帯域内ビーコンバースト」および「高出力の帯域内ビーコンバースト」という用語が、この説明の全体で使用される。一例では、「低出力の帯域内ビーコンバースト」は、２つ以上のビーコン出力レベルを有するシステムにおいて、「高出力の帯域内ビーコンバースト」よりも低い出力で送信されるビーコンとして定義され得る。別の例では、「低出力の帯域内ビーコンバースト」は、モバイルデバイス１１５がＦＡＰに非常に近接している時のみ異周波数探索を引き起こすビーコン（たとえば、４５ｄＢの）として定義されてよく、一方、「高出力の帯域内ビーコンバースト」は、ＦＡＰ  １２５のカバレージエリア内のいずれの場所でも、異周波数探索を引き起こすように設定される。
【００４３】
本明細書で使用される場合、「帯域外」または「ＯＯＢ」は、マクロ通信ネットワーク（または適宜、マクロセルもしくはピコセル）に対して帯域外である、任意のタイプの通信を含む。たとえば、ＯＯＢプロキシおよび／またはモバイルデバイス１１５は、Ｂｌｕｅｔｏｏｔｈ（たとえば、クラス１、クラス１．５、および／またはクラス２）、（たとえば、ＩＥＥＥ８０２．１５．４−２００３ワイヤレス規格に従う）ＺｉｇＢｅｅ、近距離無線通信（ＮＦＣ）、および／またはマクロネットワーク帯域外の任意の他の有用なタイプの通信を使用して動作するように構成され得る。
【００４４】
ＯＯＢのＦＡＰ  １２５への統合は、いくつかの特徴を提供し得る。たとえば、ＯＯＢプロキシは、干渉の低減、低電力のＦＡＰ登録などを可能にし得る。さらに、ＯＯＢ機能のＦＡＰ  １２５への統合は、ＦＡＰ  １２５と関連付けられたモバイルデバイス１１５が、ＯＯＢピコネットの一部になることも可能にし得る。ピコネットは、拡張されたＨＮＢ機能、他の通信サービス、電力管理機能、および／またはモバイルデバイス１１５に対する他の特徴を可能にし得る。これらおよび他の特徴は、以下の説明からさらに諒解されよう。
【００４５】
図２は、ワイヤレス通信システム２００のブロック図である。このシステムは、図１のシステム１００の一例であり得る。システム２００は、モバイルデバイス１１５と、フェムトセルアクセスポイント（ＦＡＰ）１２５−ａと、マクロセルＢＴＳ  １０５とを含む。ＦＡＰ  １２５−ａは、コントローラ２１０と、ＯＯＢ周波数トランシーバ２１５と、フェムトセル周波数トランシーバ２２０と、マクロセル周波数ビーコン送信機２２５とを含み得る。しかし、ＯＯＢ周波数トランシーバ１２５−ａが、ＦＡＰ  １２５−ａの中に常に位置していなくてもよく、いくつかの例では（点線で示されるように）含まれてもいなくてよいことは、留意に値する。ＯＯＢ周波数トランシーバ１２５−ａは、全体または一部が、ＦＡＰ  １２５−ａの外側の１つまたは複数のデバイスの中に位置していてよく、リンクを通じて、またはプロセス間通信を介して、ＦＡＰ  １２５−ａと通信することができる。これらのコンポーネント／デバイスの各々は、互いに、直接、または間接的に通信していてよい。
【００４６】
モバイルデバイス１１５はマクロセルに留まっており、したがって、マクロセル周波数範囲を通じてマクロセルＢＴＳ  １０５と通信している、またはマクロセルＢＴＳ  １０５のために聴取していると、仮定する。モバイルデバイス１１５がフェムトセルに近づくと、フェムトセルが別のキャリアによって運用されている時でも、モバイルデバイス１１５にフェムトセルを発見させて、フェムトセルへと再選択させることが望ましいことがある。ＯＯＢ周波数トランシーバ２１５は、ＯＯＢ発見信号（たとえば、Ｂｌｕｅｔｏｏｔｈページングまたは問い合わせメッセージ）をモバイルデバイス１１５へ送信するように構成され得る。ＯＯＢ周波数トランシーバ２１５は、ＯＯＢ発見信号（たとえば、Ｂｌｕｅｔｏｏｔｈページングまたは問い合わせメッセージ）をモバイルデバイス１１５から受信するように構成され得る。したがって、ＯＯＢ周波数トランシーバ２１５は、ＦＡＰ  １２５−ａが近接していることをモバイルデバイス１１５に通知し、または通知を近接しているモバイルデバイス１１５から受信するように構成され得る。
【００４７】
マクロセル周波数ビーコン送信機２２５は、マクロセル周波数範囲でのモバイルデバイス１１５への帯域内ビーコンバースト送信を実行して、セルの再選択のために異周波数スキャンを実行するようにモバイルデバイス１１５をトリガすることができる。これらの帯域内ビーコンバースト送信は、低出力のバースト、高出力のバースト、またはこれらの組合せであってよい。いくつかの例では、帯域内ビーコンバースト送信は、時分割多重化された信号であってよい（たとえば、多数の異なるマクロセル周波数範囲においてラウンドロビン方式で送信される、低出力の、高出力の、または低出力と高出力の組合せのビーコン信号であってよい）。これらのビーコンバーストは、（たとえば、モバイルデバイスの存在が、モバイルデバイス１１５からのＯＯＢ発見信号を介して検出されたかどうかに応じて）変化するデューティサイクルを有し得る。
【００４８】
コントローラ２１０は、発見信号についてＯＯＢ周波数トランシーバ２１５をモニタして、モバイルデバイスの存在を検出することができる（発見信号は、モバイルデバイス１１５へ送信またはモバイルデバイス１１５から受信され得る）。コントローラ２１０は、このモニタに基づいて、帯域内ビーコンバーストを制御することができる。例の１つのセットでは、オープンなアクセスのために、モバイルデバイスの存在が検出される時、モバイルデバイス１１５への帯域内ビーコンバースト送信が中断され得る（たとえば、マクロセル周波数ビーコン送信機２２５のＲＦ回路は、非アクティブ化され、またはそうでなければ中断されてよいが、マクロセル周波数ビーコン送信機２２５の他のコンポーネントはパワーオンされたままである）。一例では、高出力のビーコンバーストのみが中断されるが、他の例では、高出力と低出力の両方のビーコンバーストが中断され得る。モバイルデバイスの存在が検出される時、モバイルデバイス１１５への中断された帯域内ビーコンバースト送信は、アクティブ化または再アクティブ化され得る。述べられたように、帯域内ビーコンバースト送信は、多数の異なるマクロセル周波数範囲においてラウンドロビン方式で送信された、時分割多重化された信号であってよい。
【００４９】
例の１つのセットでは、アクセスが制約されたフェムトセルに対して、登録されたモバイルデバイスの存在が検出されない時、モバイルデバイス１１５への帯域内バースト送信は中断されてよい（たとえば、コントローラ２１０が、ＢＤ＿ＡＤＤＲを、認証されたクライアントリストの中のＢＤ＿ＡＤＤＲと比較して、モバイルデバイス１１５が登録されているかどうかを判定することができる）。一例では、高出力のビーコンバーストのみが中断されるが、他の例では、高出力と低出力の両方のビーコンバーストが中断され得る。登録されたモバイルデバイスの存在が検出される時、モバイルデバイス１１５への中断された帯域内ビーコンバースト送信は、アクティブ化または再アクティブ化され得る。
【００５０】
例の別のセットでは、コントローラ２１０は、このモニタに基づいて、帯域内ビーコンバースト（低出力と、高出力と、低出力と高出力の両方とのいずれか）の間隔を制御することができる。たとえば、コントローラ２１０は、モバイルデバイスが検出されない時、より長い間隔で高出力の帯域内ビーコンバースト送信を送信するように、マクロセル周波数ビーコン送信機２２５を制御することができる。モバイルデバイスが検出されると、コントローラ２１０は、より短い間隔で高出力の帯域内ビーコンバースト送信を送信するように、マクロセル周波数ビーコン送信機２２５を制御することができる。別の例では、コントローラ２１０は、モバイルデバイスが検出されない時、より長い間隔で低出力の帯域内ビーコンバースト送信を送信するように、マクロセル周波数ビーコン送信機２２５を制御することができる。モバイルデバイスが検出されると、コントローラ２１０は、より短い間隔で低出力の帯域内ビーコンバースト送信を送信するように、マクロセル周波数ビーコン送信機２２５を制御することができる。
【００５１】
例のさらに別のセットでは、モバイルデバイス１１５は、新規のＦＡＰ  １２５−ａのアーキテクチャのための、追加の機能によって構成され得る。モバイルデバイス１１５は、ＯＯＢ発見信号を送信または受信することによって、ＦＡＰ  １２５−ａの存在を検出することができる。一例では、モバイルデバイス１１５は、ＦＡＰ  １２５−ａの存在を検出したことに応答して、フェムトセル周波数範囲を特定し、ＦＡＰ  １２５−ａを選択することができる。別の例では、モバイルデバイス１１５は、ＦＡＰ  １２５−ａの存在を検出したことに応答して、セルの再選択のために異周波数スキャンを実行することができる。モバイルデバイス１１５は、異周波数スキャンからフェムトセル周波数範囲を特定し、フェムトセルを選択することができる。さらに他の例では、モバイルデバイス１１５またはＦＡＰ  １２５−ａは、ＯＯＢワイヤレス信号以外の手段を通じて、他の存在を検出することができる（すなわち、ＯＯＢ周波数トランシーバ２１５は実装されず、または任意選択である）。たとえば、ワイヤレスマクロセル周波数を通じた通信リンクおよびマクロセルネットワークのバックエンドが、使用され得る（たとえば、ワイヤレスワイドエリアネットワーク（ＷＷＡＮ）リンクを通じたＩＰベースの機構（たとえば、ＩＰトンネル））。様々な位置計算技法（たとえば、全地球測位システム（ＧＰＳ））が、モバイルデバイス１１５、ＦＡＰ  １２５−ａ、またはネットワーク中の他のデバイスによって使用され、近接を検出し、またはそうでなければ近接を示すことができる。したがって、ＦＡＰ  １２５−ａによって（たとえば、１つまたは複数の中間ネットワークによって）有線リンクを介して受信される、マクロセル周波数を介したモバイルデバイス１１５の送信が、近接の検出のために使用され得る。
【００５２】
モバイルデバイス１１５が、上の例のいずれかに従ってＦＡＰ  １２５を選択した後、モバイルデバイス１１５は、フェムトセル周波数トランシーバ２２０から、フェムトセル周波数範囲で、通信信号を受信することができる。
【００５３】
図３は、フェムトセルアクセスポイント（ＦＡＰ）１２５−ｂのブロック図３００である。このＦＡＰ  １２５−ｂは、図１または図２のＦＡＰ  １２５の例であってよい。ＦＡＰ  １２５−ｂは、１つまたは複数のアンテナ３４５を介して、モバイルデバイス１１５と通信していてよい。ＦＡＰ  １２５−ｂは、コントローラ２１０−ａと、メモリ３３５と、ＯＯＢ周波数トランシーバ２１５−ａと、フェムトセル周波数トランシーバ２２０−ａと、マクロセル周波数ビーコン送信機２２５−ａと、マクロセル周波数ビーコン受信機３５５とを含む。コントローラ２１０−ａは、低出力のビーコン制御モジュール３０５と、高出力のビーコン制御モジュール３１０と、ビーコン間隔制御モジュール３１５と、ビーコンアクティブ化制御モジュール３２０と、存在検出モジュール３２５と、ＯＯＢシグナリング制御モジュール３３０とを含む。ＦＡＰ１２５−ｂの中のこれらのコンポーネントの各々は、互いに、直接、または間接的に通信していてよい。
【００５４】
ＦＡＰ１２５−ｂのコンポーネントは、単一のデバイスへと統合されてよく、または、多数のネットワーク化されたデバイスでできていてよい（すなわち、互いに、直接、または間接的に通信している多数の異なるデバイスが、ＦＡＰ  １２５−ｂの機能を提供する）。ＦＡＰ  １２５−ｂのコンポーネントは、個別にまたは集合的に、ハードウェア中の適用可能な機能の一部またはすべてを実行するように適合された１つまたは複数の特定用途向け集積回路（ＡＳＩＣ）によって実装され得る。代替的に、それらの機能は、１つまたは複数の他の処理ユニット（またはコア）によって、１つまたは複数の集積回路上で実行され得る。他の実施形態では、当技術分野で知られている任意の方法でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各コンポーネントの機能はまた、全体的にまたは部分的に、１つまたは複数の汎用または特定用途向けプロセッサによって実行されるようにフォーマットされた、メモリ中に組み込まれた命令によって実装され得る。
【００５５】
ＯＯＢ周波数トランシーバ２１５−ａ、フェムトセル周波数トランシーバ２２０−ａ、マクロセル周波数ビーコン送信機２２５−ａ、およびマクロセル周波数ビーコン受信機３５５は、アンテナ３４５を介して、モバイルデバイス１１５と双方向に（または、いずれかの方向へ単方向に）通信するように構成され得る。
【００５６】
一例では、モバイルデバイス１１５はマクロセルに留まっており、したがって、マクロセル周波数範囲を通じてマクロセルＢＴＳと通信していてよく、またはマクロセルＢＴＳのために聴取していてよい。モバイルデバイス１１５がＦＡＰ  １２５−ｂに近づくと、フェムトセルが別のキャリアによって運用されている時でも、モバイルデバイス１１５にフェムトセルを発見させて、フェムトセルへと再選択させることが望ましいことがある。ＯＯＢ周波数トランシーバ２１５−ａは、ＯＯＢ発見信号（たとえば、Ｂｌｕｅｔｏｏｔｈページングまたは問い合わせメッセージ）をモバイルデバイス１１５へ送信するように構成され得る。ＯＯＢ周波数トランシーバ２１５−ａは、ＯＯＢ発見信号（たとえば、Ｂｌｕｅｔｏｏｔｈページングまたは問い合わせメッセージ）をモバイルデバイス１１５から受信するように構成され得る。ＯＯＢシグナリング制御モジュール３３０は、ＯＯＢ信号の送信または受信において、ＯＯＢ周波数トランシーバ２１５−ａによって使用される、間隔、周波数、メッセージなどを制御することができる。存在検出モジュール３２５は、ＯＯＢ周波数トランシーバ２１５−ａからの、またはＯＯＢ周波数トランシーバ２１５−ａへの、ＯＯＢシグナリングをモニタして、このモニタに基づいて、モバイルデバイス１１５の存在を検出することができる。別の例では、存在検出モジュール３２５は、ＯＯＢワイヤレス信号以外の手段を通じて、他の存在を検出することができる（すなわち、いくつかの例では、ＯＯＢ周波数トランシーバ２１５は実装されなくてよく、または任意選択である）。上で述べられたように、ワイヤレスマクロセル周波数を通じた通信リンクおよびマクロセルネットワークのバックエンドが、使用され得る（たとえば、ワイヤレスワイドエリアネットワーク（ＷＷＡＮ）リンクを通じたＩＰベースの機構（たとえば、ＩＰトンネル））。したがって、ＯＯＢ発見信号は、モバイルデバイスの存在を示す、有線の通信リンクを介してＦＡＰ  １２５−ｂにおいて受信される信号であってよい。
【００５７】
マクロセル周波数ビーコン送信機２２５−ａは、マクロセル周波数での帯域内ビーコンバースト送信を実行することができる。これらの帯域内バーストは、セルの再選択のために異周波数スキャンを実行するように、モバイルデバイス１１５をトリガするために生成され得る。このことは、マクロセルのＣＰＩＣＨ  Ｅｃ／Ｉｏを、非常に短い期間（たとえば、数ミリ秒のバーストの間）低くすることによって達成され得る。これらの帯域内ビーコンバースト送信は、低出力のバースト、高出力のバースト、またはこれらの組合せであってよい。いくつかの例では、帯域内ビーコンバースト送信は、時分割多重化された信号であってよい（たとえば、多数の異なるマクロセル周波数範囲においてラウンドロビン方式で送信される、低出力の、高出力の、または低出力と高出力の組合せのビーコン信号であってよい）。これらのビーコンバーストは、（たとえば、モバイルデバイスの存在が、存在検出モジュール３２５によって検出されたかどうかに応じて）変化するデューティサイクルを有し得る。低出力のビーコン制御モジュール３０５は、マクロセル周波数ビーコン送信機２２５−ａからの低出力のビーコンバーストの、出力、周波数範囲、ホッピングシーケンスなどを制御することができる。高出力のビーコン制御モジュール３１０は、マクロセル周波数ビーコン送信機２２５−ａからの高出力のビーコンバーストの、出力、周波数範囲、ホッピングシーケンスなどを制御することができる。いくつかの実施形態では、マクロセル周波数ビーコン送信機２２５−ａが１つしか存在せず、ビーコンが送信される多数の異なる周波数範囲が存在することがあるので、低出力のビーコン制御モジュール３０５および高出力のビーコン制御モジュール３１０は、互いに協調することができる。マクロセル周波数ビーコン受信機３５５は、マクロセル周波数で信号を聴取することができる（たとえば、これはＮｅｔｗｏｒｋ  Ｌｉｓｔｅｎ（ＮＬ）と呼ばれるエンティティであってよい）。
【００５８】
述べられたように、存在検出モジュール３２５は、発見信号についてＯＯＢ周波数トランシーバ２１５−ａをモニタして、モバイルデバイスの存在を検出することができる（発見信号は、モバイルデバイス１１５へ送信またはモバイルデバイス１１５から受信され得る）。コントローラ２１０−ａは、このモニタに基づいて、帯域内ビーコンバーストを制御することができる。例の１つのセットでは、ビーコンアクティブ化制御モジュール３２０は、モバイルデバイスの存在が検出されない時（または、たとえば、制限されたアクセスのフェムトセルに対して登録されたモバイルデバイスが検出されない時）、帯域内ビーコンバースト送信を中断するように、マクロセル周波数ビーコン送信機２２５−ａを制御することができる。高出力の、低出力の、またはこれらの両方のタイプのビーコンバーストが、中断され得る。ビーコンアクティブ化制御モジュール３２０は、モバイルデバイスの存在が検出される時（または、たとえば、制限されたアクセスのフェムトセルに対して登録されたモバイルデバイスが検出される時）、帯域内ビーコンバースト送信をアクティブ化するように、マクロセル周波数ビーコン送信機２２５−ａを制御することができる。一例では、フェムトセルにすでに留まっているモバイルデバイス１１５が検出される場合、帯域内ビーコンバースト送信は中断されたままであってよい。述べられたように、帯域内ビーコンバースト送信は、多数の異なるマクロセル周波数範囲においてラウンドロビン方式で送信された、時分割多重化された信号であってよい。
【００５９】
例の別のセットでは、ビーコン間隔制御モジュール３１５は、モニタに基づいて、帯域内ビーコンバースト（低出力と、高出力と、低出力と高出力の両方とのいずれか）の間隔を調整するように、マクロセル周波数ビーコン送信機２２５−ａを制御することができる。たとえば、ビーコン間隔制御モジュール３１５は、モバイルデバイスが検出されない時、より長い間隔で帯域内ビーコンバースト送信を送信するように、マクロセル周波数ビーコン送信機２２５−ａを制御することができる。モバイルデバイスが検出されると、ビーコン間隔制御モジュール３１５は、より短い間隔で帯域内ビーコンバースト送信を送信するように、マクロセル周波数ビーコン送信機２２５を制御することができる。述べられたように、帯域内ビーコンバースト送信は、多数の異なるマクロセル周波数範囲においてラウンドロビン方式で送信された、時分割多重化された信号であってよい。
【００６０】
モバイルデバイス１１５が、上の例のいずれかに従ってＦＡＰ  １２５−ｂを選択した後、モバイルデバイス１１５は、フェムトセル周波数トランシーバ２２０−ａから、フェムトセル周波数範囲で、通信信号を受信することができる。
【００６１】
ＦＡＰ１２５−ｂのメモリ３３５は、ランダムアクセスメモリ（ＲＡＭ）と読取り専用メモリ（ＲＯＭ）とを含み得る。メモリ３３５は、実行されるとコントローラ２１０−ａに本明細書で説明される様々な機能を実行させるように構成された命令を格納する、コンピュータ可読の、コンピュータ実行可能ソフトウェアコード３４０を記憶することができる。代替的に、ソフトウェア３４０は、コントローラ２１０−ａによって直接実行可能でないことがあるが、たとえば、コンパイルされ実行されると、コンピュータに本明細書で説明される機能を実行させるように構成され得る。
【００６２】
ＦＡＰ  １２５−ｂは、有線接続３５０を通じて、ＷＷＡＮネットワークと通信していてよい。ＦＡＰ  １２５−ｂは、図２に明示的に示されない他のインターフェースを通じて通信していてよい。たとえば、ＦＡＰ  １２５−ｂは、ネイティブセルラーワイヤレスリンク（たとえば、「帯域内」通信リンク）を通じて、モバイルデバイス１１５のような、様々な適切に構成されたデバイスと通信するために、トランシーバモジュール２１０の一部としてのネイティブセルラーインターフェース（たとえば、動作中に比較的多くの電力量を消費し得るセルラーネットワーク通信技法を利用する特殊なトランシーバ）と通信していてよい。そのような通信インターフェースは、限定はされないが、広帯域符号分割多元接続（Ｗ−ＣＤＭＡ）、ＣＤＭＡ２０００、ｇｌｏｂａｌ  ｓｙｓｔｅｍ  ｆｏｒ  ｍｏｂｉｌｅ  ｔｅｌｅｃｏｍｍｕｎｉｃａｔｉｏｎ（ＧＳＭ）、ｗｏｒｌｄｗｉｄｅ  ｉｎｔｅｒｏｐｅｒａｂｉｌｉｔｙ  ｆｏｒ  ｍｉｃｒｏｗａｖｅ  ａｃｃｅｓｓ（ＷｉＭａｘ）、およびワイヤレスＬＡＮ（ＷＬＡＮ）を含む、様々な通信規格に従って動作し得る。さらに、または代替的に、ＦＡＰ  １２５−ｂは、様々なデバイスまたは他のネットワークと通信するための１つまたは複数のバックエンドネットワークインターフェース（たとえば、インターネット、パケット交換ネットワーク、交換ネットワーク、無線ネットワーク、制御ネットワーク、有線リンクおよび／または、そのようなものを介して通信を提供するバックホールインターフェース）と通信していてよい。
【００６３】
ＯＯＢ周波数トランシーバ２１５−ａは、動作中に消費する電力の量を比較的少なくでき、かつ／または、帯域内トランシーバに対して帯域内スペクトル中において引き起こす干渉をより小さくできる。そのようなＯＯＢインターフェースは、モバイルデバイス１１５のＯＯＢ無線のような、様々な適切に構成されたデバイスに関する低出力ワイヤレス通信を提供するために、実施形態に従って利用され得る。ＯＯＢインターフェースは、たとえば、時分割複信（ＴＤＤ）方式を使用する、Ｂｌｕｅｔｏｏｔｈ対応トランシーバであってよい。ＯＯＢリンクは、ｕｌｔｒａ−ｗｉｄｅｂａｎｄ（ＵＷＢ）リンク、ＩＥＥＥ  ８０２．１１リンク、ＺｉｇＢｅｅリンク、ＩＰトンネル、近距離通信（ＮＦＣ）リンク、他の認可されていない帯域を通じたリンク、有線リンクなどであってよい。いくつかの例では、ＯＯＢリンクは、モバイルデバイス１１５と直接関連付けられる必要はない（たとえば、警報システムの非アクティブ化、または集合住宅もしくはガレージのドアの開放が、有線および／またはワイヤレスリンクを通じて存在を示し得る）。さらに、仮想ＯＯＢは、仮想ＯＯＢリンクとして働くワイヤレスワイドエリアネットワーク（ＷＷＡＮ）リンク上のＩＰベースの機構（たとえば、ＷＷＡＮリンク上のＩＰトンネル）の使用などを通じて、使用され得る。
【００６４】
次に図４を参照すると、ブロック図４００は、プロセッサモジュール２１０−ｂを示す。このプロセッサモジュール２１０−ｂは、図２または図３のコントローラ２１０であってよい。プロセッサモジュール２１０−ｂは、ＯＯＢシグナリングモジュール４０５と、フェムトセル通信モジュール４１０と、ビーコン制御モジュール４１５とを含む。これらのコンポーネントの各々は、互いに、直接、または間接的に通信していてよい。
【００６５】
プロセッサモジュール２１０−ｂのコンポーネントは、個別にまたは集合的に、ハードウェア中の適用可能な機能の一部またはすべてを実行するように適合された１つまたは複数の特定用途向け集積回路（ＡＳＩＣ）によって実装され得る。代替的に、それらの機能は、１つまたは複数の他の処理ユニット（またはコア）によって、１つまたは複数の集積回路上で実行され得る。他の実施形態では、当技術分野で知られている任意の方法でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各コンポーネントの機能はまた、全体的にまたは部分的に、１つまたは複数の汎用または特定用途向けプロセッサによって実行されるようにフォーマットされた、メモリ中に組み込まれた命令によって実装され得る。各コンポーネントはメモリを含んでよく、またはアクセスされるメモリは、プロセッサモジュール２１０−ｂ上、またはその外部の、いずれの場所にあってもよい。
【００６６】
ＯＯＢシグナリングモジュール４０５は、１つまたは複数のＯＯＢシグナリングトランシーバ（たとえば、図２または図３のＯＯＢ周波数トランシーバ２１５）のためのＯＯＢ信号の送信または受信を制御することができる。ＯＯＢシグナリングモジュール４０５は、図３の存在検出モジュール３２５とＯＯＢシグナリング制御モジュール３３０とを含み得る。ビーコン制御モジュール４１５は、マクロセル周波数範囲で帯域内ビーコンバースト（たとえば、低出力または高出力のビーコンバースト）を送信するように、帯域内ビーコントランシーバ（たとえば、図２または図３のマクロセル周波数ビーコントランシーバ２２５）を制御することができる。ビーコン制御モジュール４１５は、図３を参照して説明された、低出力のビーコン制御３０５、高出力のビーコン制御３１０、ビーコン間隔制御３１５、またはビーコンアクティブ化制御３２０のうちの１つまたは複数を含み得る。フェムトセル通信モジュール４１０は、モバイルデバイスがフェムトセルを発見し選択した後、フェムトセル周波数範囲で（たとえば、フェムトセル周波数トランシーバ２２０から）モバイルデバイスへ送信される通信信号を、制御することができる。
【００６７】
ＷＷＡＮ通信モジュール（図示せず）は、コアネットワークからモバイルデバイス（たとえば、図１、図２、または図３のモバイルデバイス１１５）へのＷＷＡＮ通信を制御し、通信をどのように処理するかを決定するように構成され得る。このモジュールは、多くの様々なタイプのネットワークおよび／またはトポロジーを介して通信機能を制御することができる。たとえば、このモジュールは、セルラー電話網、セルラーデータネットワーク、ローカルエリアネットワーク（ＬＡＮ）、メトロポリタンエリアネットワーク（ＭＡＮ）、ワイドエリアネットワーク（ＷＡＮ）、公衆交換電話網（ＰＳＴＮ）、インターネットなどのためのワイヤレスインターフェースのような、フェムトセルのための様々なインターフェースを管理することができる。
【００６８】
図５は、モバイルデバイス１１５−ａのブロック図５００である。これは、図１または図２のモバイルデバイス１１５−ａであってよい。モバイルデバイス１１５−ａは、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネットアプライアンス、ゲームコンソール、電子リーダーなどのような、様々な構成のいずれかを有し得る。モバイルデバイス１１５−ａは、モバイル動作を容易にするために、小さなバッテリーのような内部電源（図示せず）を有し得る。
【００６９】
モバイルデバイス１１５−ａは、アンテナ５０５と、トランシーバモジュール５１０と、メモリ５１５と、プロセッサモジュール５２５とを含み、その各々は、（たとえば、１つまたは複数のバスを介して）互いに、直接または間接的に通信していてよい。トランシーバモジュール５１０は、上で説明されたように、アンテナ５０５および／または１つまたは複数の有線リンクもしくはワイヤレスリンクを介して、１つまたは複数のネットワークと双方向に通信するように構成される。たとえば、トランシーバモジュール５１０は、図１または図２のマクロセルのＢＴＳ  １０５と、および図１、図２または図３のＦＡＰ  １２５と、双方向に通信するように構成され得る。トランシーバモジュール５１０は、パケットを変調し、変調されたパケットを送信のためにアンテナ５０５に供給し、アンテナ５０５から受信されたパケットを復調するように構成されたモデムを含み得る。モバイルデバイス１１５−ａは単一のアンテナを含み得るが、モバイルデバイス１１５−ａは、一般に、複数のリンクのための複数のアンテナ５０５を含む。
【００７０】
上で全般的に説明されたように、トランシーバモジュール５１０は、１つまたは複数のＯＯＢリンクを通じてフェムトセルとさらに通信するように構成され得る。モバイルデバイス１１５−ａは、ＯＯＢ発見メッセージを送信または受信することによって、フェムトセルの存在を検出することができる。一例では、モバイルデバイス１１５−ａは、フェムトセルの存在を検出したことに応答してフェムトセル周波数範囲を特定し、フェムトセルを選択することができる。モバイルデバイス１１５−ａは次いで、フェムトセルから、フェムトセル周波数範囲で通信信号を受信することができる。したがって、モバイルデバイス１１５−ａは、メモリに記憶されたフェムトセル周波数範囲を有してよく、フェムトセルが検出された時、情報にアクセスすることができる。別の例では、モバイルデバイス１１５−ａは、フェムトセルの存在を検出したことに応答して、セルの再選択のために異周波数スキャンを実行することができる。モバイルデバイス１１５−ａは、異周波数スキャンからフェムトセル周波数範囲を特定し、フェムトセルを選択することができる。通信管理モジュール５３０は、フェムトセル発見プロセスを管理することができる。
【００７１】
メモリ５１５は、ランダムアクセスメモリ（ＲＡＭ）と読取り専用メモリ（ＲＯＭ）とを含み得る。メモリ５１５は、実行されるとプロセッサモジュール５２５に本明細書で説明される様々な機能（たとえば、呼処理、データベース管理、メッセージルーティングなど）を実行させるように構成された命令を格納する、コンピュータ可読の、コンピュータ実行可能ソフトウェアコード５２０を記憶することができる。代替的に、ソフトウェア５２０は、プロセッサモジュール５２５によって直接実行可能でないことがあるが、（たとえば、コンパイルされ実行されると）コンピュータに本明細書で説明される機能を実行させるように構成され得る。
【００７２】
プロセッサモジュール５２５は、たとえば、Ｉｎｔｅｌ（登録商標）ＣｏｒｐｏｒａｔｉｏｎまたはＡＭＤ（登録商標）製のものなどの中央演算処理装置（ＣＰＵ）、マイクロコントローラ、特定用途向け集積回路（ＡＳＩＣ）などのインテリジェントハードウェアデバイスを含み得る。プロセッサモジュール５２５は、マイクロフォンを介して音声を受信し、その音声を、受信された音声を表す（たとえば、長さ３０ｍｓの）パケットに変換し、その音声パケットをトランシーバモジュール５１０に提供し、ユーザが話しているかどうかの指示を提供するように構成された、音声エンコーダ（図示せず）を含み得る。代替的に、エンコーダはパケットのみをトランシーバモジュール５１０に提供することができ、パケット自体の提供または抑制／抑圧が、ユーザが話しているかどうかの指示を提供する。
【００７３】
図５のアーキテクチャによれば、モバイルデバイス１１５−ａは通信管理モジュール５３０をさらに含む。通信管理モジュール５３０は、マクロセル、フェムトセル（たとえば、ＯＯＢリンク、帯域内ビーコン、またはフェムトセル周波数）、他のモバイルデバイス１１５（たとえば、二次的ピコネットのマスターとして働く）などとの通信を管理することができる。例として、通信管理モジュール５３０は、バスを介してモバイルデバイス１１５−ａの他のコンポーネントの一部またはすべてと通信しているモバイルデバイス１１５−ａのコンポーネントであり得る。代替的に、通信管理モジュール５３０の機能は、トランシーバモジュール５１０のコンポーネントとして、コンピュータプログラム製品として、および／またはプロセッサモジュール５２５の１つまたは複数のコントローラ要素として実装され得る。
【００７４】
モバイルデバイス１１５−ａは、マクロセル、フェムトセル、および１つまたは複数のＯＯＢネットワークとインターフェースをとるために、通信機能を含み得る。たとえば、いくつかのモバイルデバイス１１５−ａは、ネイティブセルラーワイヤレスリンクを通じて他の適切に構成されたデバイスと通信するために、トランシーバモジュール５１０または通信管理モジュール５３０（たとえば、動作中に比較的多くの電力量を消費するセルラーネットワーク通信技法を利用するトランシーバ）の一部として、ネイティブセルラーインターフェースを含む。ネイティブセルラーインターフェースは、限定はされないが、Ｗ−ＣＤＭＡ、ＣＤＭＡ２０００、ＧＳＭ、ＷｉＭａｘ、およびＷＬＡＮを含む１つまたは複数の通信規格に従って動作し得る。
【００７５】
さらに、モバイルデバイス１１５−ａは、ワイヤレスリンクを通じて他の適切に構成されたデバイスと通信するために、トランシーバモジュール５１０および／または通信管理モジュール５３０（たとえば、動作中に消費する電力量を比較的少なくでき、かつ／または帯域内スペクトル中よりも生じる干渉を少なくできるトランシーバ）の一部として実装されるＯＯＢインターフェースも含み得る。好適なＯＯＢ通信インターフェースの一例は、時分割複信（ＴＤＤ）方式を使用するＢｌｕｅｔｏｏｔｈ対応トランシーバである。
【００７６】
図６Ａは、ワイヤレス通信システム６００Ａのブロック図である。このシステムは、図１または図２のシステム１００、２００の一例であってよい。システム６００Ａは、モバイルデバイス１１５−ｂと、フェムトセルアクセスポイント（ＦＡＰ）１２５−ｃと、マクロセルＢＴＳ  １０５とを含む。ＦＡＰ  １２５−ｃは、コントローラ２１０−ｃと、ＯＯＢトランシーバ２１５−ｂと、フェムトセル周波数トランシーバ２２０−ｂと、マクロセル周波数低出力ビーコン送信機２２５−ｂとを含む。これらのコンポーネント／デバイスの各々は、互いに、直接または間接的に通信していてよい。
【００７７】
モバイルデバイス１１５−ｂがマクロセルに留まっており、フェムトセルに近づくと仮定する。ＯＯＢトランシーバ２１５−ｂは、モバイルデバイス１１５−ｂへＢｌｕｅｔｏｏｔｈページングまたは問い合わせメッセージを送信するように構成されてよく、モバイルデバイス１１５−ｂからＢｌｕｅｔｏｏｔｈページングまたは問い合わせメッセージを受信するように構成されてよい。したがって、モバイルデバイス１１５−ｂの存在を検出するために、または、ＦＡＰ  １２５−ｃが近接していることをモバイルデバイス１１５−ｂに通知するために、Ｂｌｕｅｔｏｏｔｈリンクが使用され得る。上で説明されたように、ＯＯＢトランシーバ２１５−ｂは、他のプロトコルと周波数とを使用することができる。
【００７８】
マクロセル周波数低出力ビーコン送信機２２５−ｂは、マクロセル周波数範囲で、帯域内低出力ビーコンバースト送信を実行することができる。これらの送信は、セルの再選択のために異周波数スキャンを実行するように、モバイルデバイス１１５−ｂをトリガするように設計され得る。これらの送信は、多数の異なるマクロセル周波数範囲にわたってホッピングするように、時分割多重化され得る。これらのビーコンバーストは、（たとえば、モバイルデバイスの存在が、モバイルデバイス１１５−ｂからのＢｌｕｅｔｏｏｔｈメッセージを介して検出されたかどうかに応じて）変化するデューティサイクルを有し得る。
【００７９】
モバイルデバイス１１５−ｂは、新規のＦＡＰ  １２５−ｃのアーキテクチャのための、追加の機能とともに構成され得る。モバイルデバイス１１５−ｂは、Ｂｌｕｅｔｏｏｔｈページングまたは問い合わせメッセージを送信または受信することによって、ＦＡＰ  １２５−ｃの存在を検出することができる。一例では、モバイルデバイス１１５は、ＦＡＰ  １２５−ｃの存在を検出したことに応答してフェムトセル周波数範囲を特定し、ＦＡＰ  １２５−ｃを選択することができる。モバイルデバイス１１５−ｂは次いで、フェムトセル周波数トランシーバ２２０−ｂから、フェムトセル周波数範囲で通信信号を受信することができる。したがって、モバイルデバイス１１５−ｂは、メモリに記憶されたＦＡＰ  １２５−ｃのためのフェムトセル周波数範囲を有してよく、ＦＡＰ  １２５−ｃが検出される時、情報にアクセスすることができる。
【００８０】
別の例では、モバイルデバイス１１５−ｂは、ＦＡＰ  １２５−ｃの存在を検出したことに応答して、セルの再選択のために異周波数スキャンを実行することができる。モバイルデバイス１１５−ｂは、異周波数スキャンからフェムトセル周波数範囲を特定して、フェムトセルを選択することができる。モバイルデバイス１１５−ｂは次いで、フェムトセル周波数トランシーバ２２０−ｂから、フェムトセル周波数範囲で通信信号を受信することができる。
【００８１】
図６Ｂは、ワイヤレス通信システム６００Ｂのブロック図である。このシステムは、図１または図２のシステム１００、２００の一例であってよい。システム６００Ｂは、モバイルデバイス１１５と、フェムトセルアクセスポイント（ＦＡＰ）１２５−ｄと、マクロセルＢＴＳ  １０５とを含む。ＦＡＰ  １２５−ｄは、コントローラ２１０−ｄと、ＯＯＢトランシーバ２１５−ｃと、フェムトセル周波数トランシーバ２２０−ｃと、マクロセル周波数低＋高出力ビーコン送信機２２５−ｃとを含む。これらのコンポーネント／デバイスの各々は、互いに、直接または間接的に通信していてよい。
【００８２】
この場合も、モバイルデバイス１１５がマクロセルに留まっており、フェムトセルに近づくと仮定する。ＯＯＢトランシーバ２１５−ｃは、モバイルデバイス１１５へＢｌｕｅｔｏｏｔｈページングまたは問い合わせメッセージを送信するように構成されてよく、モバイルデバイス１１５からＢｌｕｅｔｏｏｔｈページングまたは問い合わせメッセージを受信するように構成されてよい。したがって、モバイルデバイス１１５の存在を検出し、ＦＡＰ  １２５−ｄが近接していることをモバイルデバイス１１５に通知するために、Ｂｌｕｅｔｏｏｔｈリンクが使用され得る。上で説明されたように、ＯＯＢトランシーバ２１５−ｂは、他のプロトコルと周波数とを使用することができる。
【００８３】
マクロセル周波数低＋高出力ビーコン送信機２２５−ｃは、マクロセル周波数範囲で、モバイルデバイス１１５への帯域内低出力ビーコンバースト送信を実行することができる。これらの送信は、セルの再選択のために異周波数スキャンを実行するように、モバイルデバイス１１５をトリガするように設計され得る。これらの送信は、多数の異なるマクロセル周波数範囲にわたってホッピングするように、時分割多重化され得る。これらのビーコンバーストは、（たとえば、モバイルデバイスの存在が、モバイルデバイス１１５からのＢｌｕｅｔｏｏｔｈメッセージを介して検出されたかどうかに応じて）変化するデューティサイクルを有し得る。
【００８４】
コントローラ２１０−ｄは、Ｂｌｕｅｔｏｏｔｈトランシーバ２１５−ｃをモニタして、モバイルデバイスの存在を検出することができる（モバイルデバイス１１５の存在を検出し、Ｂｌｕｅｔｏｏｔｈ問い合わせまたはページング信号は、モバイルデバイス１１５へ送信またはモバイルデバイス１１５から受信され得る）。コントローラ２１０−ｄは、このモニタに基づいて、マクロセル周波数低＋高出力ビーコン送信機２２５−ｃからの高出力の帯域内ビーコンバーストを制御することができる。例の１つのセットでは、モバイルデバイス１１５への高出力の帯域内ビーコンバースト送信は、モバイルデバイスの存在が検出されない時（または、制限されたアクセスでは、登録されたモバイルデバイスの存在が検出されない時）、中断され得る。モバイルデバイス１１５への中断された高出力の帯域内ビーコンバースト送信は、モバイルデバイスの存在が検出される時（または、制限されたアクセスでは、登録されたモバイルデバイスの存在が検出される時）、アクティブ化または再アクティブ化され得る。例の別のセットでは、コントローラ２１０−ｄは、このモニタに基づいて、高出力の帯域内ビーコンバーストの間隔を制御することができる。たとえば、コントローラ２１０−ｄは、モバイルデバイスが検出されない時（または、制限されたアクセスでは、登録されたモバイルデバイスの存在が検出されない時）、より長い間隔で高出力の帯域内ビーコンバースト送信を送信するように、マクロセル周波数低＋高出力ビーコン送信機２２５−ｃを制御することができる。モバイルデバイス１１５が検出されると（または、制限されたアクセスでは、登録されたモバイルデバイスの存在が検出されると）、コントローラ２１０−ｄは、より短い間隔で高出力の帯域内ビーコンバースト送信を送信するように、マクロセル周波数低＋高出力ビーコン送信機２２５−ｃを制御することができる。したがって、高出力ビーコン送信の間隔は、モバイルデバイス１１５が検出される時は短くされ、検出されない時は長くされ得る。
【００８５】
図７Ａは、本発明の様々な実施形態による、ワイヤレス通信システムにおけるフェムトセルの発見の間の干渉を軽減するための方法のフローチャート７００Ａである。方法７００Ｂは、たとえば、全体または一部が、図１、図２、図３、図６Ａ、もしくは図６Ｂのフェムトセル１２５、または、図２、図３、図４、図６Ａ、もしくは図６Ｂのコントローラ２１０、またはこれらの任意の組合せによって、実行され得る。
【００８６】
ブロック７０５において、ＯＯＢ発見信号が、存在検出を容易にするために送信される。ブロック７１０において、帯域内ビーコンバースト（低出力、高出力、または両方）がモバイルデバイスへ送信され、帯域内ビーコンバーストは、セルの再選択のために異周波数スキャンを実行するようにモバイルデバイスをトリガするために、生成される。ＯＯＢ発見信号または帯域内ビーコンを介して、モバイルデバイスは、フェムトセルを取得し、フェムトセルに留まり（アイドル状態）、またはフェムトセルへのハンドオフを実行する（アクティブ状態）。ブロック７１５において、フェムトセル周波数範囲の通信信号がモバイルデバイスへ送信され、フェムトセル周波数範囲は、ＯＯＢ周波数範囲および帯域内周波数範囲と異なる。いくつかの例では、フローはブロック７０５からブロック７１５までであってよく、ビーコン内バーストの使用はスキップされてもよいことは、留意に値する。
【００８７】
図７Ｂは、本発明の様々な実施形態による、ワイヤレス通信システムにおけるフェムトセルの発見の間の干渉を軽減するための代替的な方法のフローチャート７００Ｂである。方法７００Ａは、たとえば、全体または一部が、図１、図２、図３、図６Ａ、もしくは図６Ｂのフェムトセル１２５、または、図２、図３、図４、図６Ａ、もしくは図６Ｂのコントローラ２１０、またはこれらの任意の組合せによって、実行され得る。
【００８８】
ブロック７５５において、ＯＯＢ発見信号がモバイルデバイスから受信される。ブロック８１０において、帯域内ビーコンバーストがモバイルデバイスへ送信され、帯域内バーストは、セルの再選択のために異周波数スキャンを実行するようにモバイルデバイスをトリガするために、生成される。ＯＯＢ発見信号または帯域内ビーコンを介して、モバイルデバイスは、フェムトセルを取得し、フェムトセルに留まり（アイドル状態）、またはフェムトセルへのハンドオフを実行する（アクティブ状態）。ブロック８１５において、フェムトセル周波数範囲の通信信号がモバイルデバイスへ送信され、フェムトセル周波数範囲は、ＯＯＢ周波数範囲および帯域内周波数範囲と異なる。いくつかの例では、フローはブロック７５５からブロック７６５までであってよく、ビーコン内バーストの使用はスキップされてもよいことは、留意に値する。
【００８９】
図８Ａは、本発明の様々な実施形態による、ワイヤレス通信システムにおけるフェムトセルの発見の間の干渉を軽減するための方法のフローチャート８００Ａである。方法８００Ａは、たとえば、全体または一部が、図１、図２、図３、図６Ａ、もしくは図６Ｂのフェムトセル１２５、または、図２、図３、図４、図６Ａ、もしくは図６Ｂのコントローラ２１０、またはこれらの任意の組合せによって、実行され得る。
【００９０】
ブロック８０５において、ＯＯＢ発見信号が、存在検出を容易にするために、送信またはモニタされる。ブロック８１０において、低出力の帯域内ビーコンバーストが、セルの再選択のために異周波数スキャンを実行するようにモバイルデバイスをトリガするように、送信され設計される。ブロック８１５において、ＯＯＢ検出は成功しないが、低出力のビーコンバーストは、モバイルデバイスに、異周波数スキャンを介してフェムトセルを検出させる。したがって、ＯＯＢ検出が成功しない場合、低出力のビーコンバーストは、モバイルデバイスが依然としてフェムトセルを検出するのを確実にすることができる。ブロック８２０において、モバイルデバイスは、フェムトセルを取得し、フェムトセルに留まり（アイドル状態）、またはフェムトセルへのハンドオフを実行する（アクティブ状態）。
【００９１】
図８Ｂは、本発明の様々な実施形態による、ワイヤレス通信システムにおけるフェムトセルの発見の間の干渉を軽減するための方法のフローチャート８００Ｂである。方法８００Ｂは、たとえば、全体または一部が、図１、図２、図３、図６Ａ、もしくは図６Ｂのフェムトセル１２５、または、図２、図３、図４、図６Ａ、もしくは図６Ｂのコントローラ２１０、またはこれらの任意の組合せによって、実行され得る。
【００９２】
ブロック８５５において、ＯＯＢ発見信号が、存在検出を容易にするために、送信またはモニタされる。ブロック８６０において、ＯＯＢ信号の存在検出が成功する。ブロック８１５において、モバイルデバイスは、フェムトセルを取得し、フェムトセルに留まり（アイドル状態）、またはフェムトセルへのハンドオフを実行する（アクティブ状態）。
【００９３】
図９は、本発明の様々な実施形態による、ワイヤレス通信システムにおけるフェムトセルの発見の間の干渉を軽減するための別の方法のフローチャート９００である。この方法９００は、図７Ａ、図７Ｂ、図８Ａ、または図８Ｂを参照して説明された、方法７００Ａ、７００Ｂ、８００Ａ、または８００Ｂの例であってよい。方法９００は、たとえば、図１または図２のシステム１００、２００によって実行され得る。方法９００は、図１、図２、図３、図６Ａ、または図６Ｂのフェムトセル１２５について、図１、図２、図５、図６Ａ、または図６Ｂのモバイルデバイス１１５によって実行され、または、図２、図３、図４、図６Ａ、または図６Ｂのコントローラ２１０によって実行され得る。
【００９４】
ブロック９０５において、低出力の帯域内ビーコンバーストがモバイルデバイスへ送信され、帯域内バーストは、セルの再選択のために異周波数スキャンを実行するようにモバイルデバイスをトリガするために生成される（これらの低出力の帯域内ビーコンバーストは、いくつかの例では存在しないので、高出力のビーコンと任意選択で低出力のビーコンとが、マクロ周波数におけるフェムトセルビーコン干渉を低減するために除去され得る）。ブロック９１０において、ＯＯＢ発見信号が、モバイルデバイスへ送信またはモバイルデバイスから受信される。ブロック９１５において、モバイルデバイスは、ＯＯＢ発見信号を送信または受信することによって、フェムトセルの存在を検出する。
【００９５】
モバイルデバイスの構成に応じて、様々なオプションがある。オプション１では、ブロック９２０−ａにおいて、モバイルデバイスは、存在を検出したことに応答してフェムトセル周波数範囲を特定し、フェムトセルを選択する。オプション２では、ブロック９２０−ｂにおいて、モバイルデバイスは、存在を検出したことに応答して、セルの再選択のために異周波数スキャンを実行し、異周波数スキャンを介してフェムトセル周波数範囲を特定し、フェムトセルを選択する。多数の他のオプションが利用可能であり、上で詳細に説明されている。
【００９６】
ブロック９２５において、通信信号がフェムトセル周波数範囲でモバイルデバイスへ送信され、フェムトセル周波数範囲は、ＯＯＢ周波数範囲および帯域内周波数範囲と異なる。ブロック９３０内のブロック（すなわち、ブロック９０５、９１０、および９２５）で行われるステップは、フェムトセルによって行われてよい。
【００９７】
図１０は、本発明の様々な実施形態による、ワイヤレス通信システムにおけるフェムトセルの発見の間の干渉を軽減するためのさらに別の方法のフローチャート１０００である。この方法１０００は、図７Ａ、図７Ｂ、図８Ａ、または図８Ｂを参照して説明された、方法７００Ａ、７００Ｂ、８００Ａ、または８００Ｂの例であってよい。方法１０００は、たとえば、図１または図２のシステム１００、２００によって実行され得る。方法１０００は、図１、図２、図３、図６Ａ、または図６Ｂのフェムトセル１２５について、図１、図２、図５、図６Ａ、または図６Ｂのモバイルデバイス１１５によって実行され、または、図２、図３、図４、図６Ａ、または図６Ｂのコントローラ２１０によって実行され得る。
【００９８】
ブロック１００５において、低出力の帯域内ビーコンバーストが送信され、低出力の帯域内バーストは、セルの再選択のために異周波数スキャンを実行するようにモバイルデバイスをトリガするために生成される。ブロック１０１０において、ＯＯＢ発見信号が送信または受信される。ブロック１０１５において、モバイルデバイスの存在が、ＯＯＢ発見信号を介して検出される。
【００９９】
システム構成に応じて、使用され得る様々なオプションがある。ブロック１０２５はオプション１を格納する。ブロック１０３０において、複数の高出力の帯域内ビーコンバースト送信の間の間隔が、モバイルデバイスの検出に応答して短くされる。ブロック１０３５において、ＯＯＢ発見信号が、モバイルデバイスの存在を検出するのに失敗する。ブロック１０４０において、複数の高出力の帯域内ビーコンバースト送信の間の短くされた間隔が、検出の失敗に応答して長くされる。
【０１００】
ブロック１０５０はオプション２を格納する。ブロック１０５５において、高出力の帯域内ビーコンバースト送信が、検出に応答してアクティブ化される。ブロック１０６０において、ＯＯＢ発見信号が、モバイルデバイスの存在を検出するのに失敗する。ブロック１０６５において、高出力の帯域内ビーコンバースト送信が、検出の失敗に応答して中断される。多数の他のオプションが利用可能であり、上で詳細に説明されている。
【０１０１】
図１１は、本発明の様々な実施形態による、ワイヤレス通信システムにおけるフェムトセルの発見の間の干渉を軽減するためのさらに別の方法のフローチャート１１００である。この方法１１００は、図７Ａ、図７Ｂ、図８Ａ、または図８Ｂを参照して説明された、方法７００Ａ、７００Ｂ、８００Ａ、または８００Ｂの例であってよい。方法１１００は、たとえば、図１または図２のシステム１００、２００によって実行され得る。方法１１００は、図１、図２、図３、図６Ａ、または図６Ｂのフェムトセル１２５について、図１、図２、図５、図６Ａ、または図６Ｂのモバイルデバイス１１５によって実行され、または、図２、図３、図４、図６Ａ、または図６Ｂのコントローラ２１０によって実行され得る。
【０１０２】
ブロック１１０５において、ＯＯＢ発見信号が送信または受信される。ブロック１１００において、モバイルデバイスの存在が、ＯＯＢ発見信号を介して検出される。
【０１０３】
システム構成に応じて、使用され得る様々なオプションがある。ブロック１１２５はオプション１を格納し、低出力の帯域内ビーコンがアクティブであると仮定する。ブロック１１３０において、複数の低出力の帯域内ビーコンバースト送信の間の間隔が、モバイルデバイスの検出に応答して短くされる。ブロック１１３５において、ＯＯＢ発見信号が、モバイルデバイスの存在を検出するのに失敗する。ブロック１１４０おいて、複数の低出力の帯域内ビーコンバースト送信の間の短くされた間隔が、検出の失敗に応答して長くされる。
【０１０４】
ブロック１１５０はオプション２を格納する。ブロック１１５５において、低出力の帯域内ビーコンバースト送信が、検出に応答してアクティブ化される。ブロック１１６０において、ＯＯＢ発見信号が、モバイルデバイスの存在を検出するのに失敗する。ブロック１１６５において、低出力の帯域内ビーコンバースト送信が、検出の失敗に応答して中断される。多数の他のオプションが利用可能であり、上で詳細に説明されている。
【０１０５】
説明に関する考慮事項  
添付の図面に関して上記に記載した詳細な説明は、例示的な実施形態について説明しており、実装され得るまたは特許請求の範囲内に入る実施形態のみを表すものではない。この説明において使用される「例示的」という用語は、「例、事例、または例示の働きをすること」を意味し、「好ましい」または「他の実施形態よりも有利な」を意味しない。詳細な説明は、説明される技法の理解を与えるために、具体的な詳細を含む。ただし、これらの技法は、これらの具体的な詳細なしに実施され得る。場合によっては、説明される実施形態の概念を不明瞭にしないように、よく知られている構造およびデバイスはブロック図の形式で示される。
【０１０６】
情報および信号は、様々な異なる技術および技法のうちのいずれかを使用して表され得る。たとえば、上記の説明全体にわたって言及され得るデータ、命令、コマンド、情報、信号、ビット、シンボル、およびチップは、電圧、電流、電磁波、磁界もしくは磁性粒子、光場もしくは光学粒子、またはそれらの任意の組合せによって表され得る。
【０１０７】
本明細書の開示に関連して説明された様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタロジック、個別ハードウェアコンポーネント、または本明細書で説明された機能を実行するように設計されたそれらの任意の組合せを用いて実装または実行され得る。汎用プロセッサはマイクロプロセッサであってよいが、代替として、プロセッサは任意の従来のプロセッサ、コントローラ、マイクロコントローラ、または状態機械であってよい。プロセッサは、コンピューティングデバイスの組合せ、たとえばＤＳＰとマイクロプロセッサとの組合せ、複数のマイクロプロセッサ、ＤＳＰコアと連携する１つまたは複数のマイクロプロセッサ、または任意の他のそのような構成としても実装され得る。
【０１０８】
本明細書で説明される機能は、ハードウェア、プロセッサによって実行されるソフトウェア、ファームウェア、またはこれらの組合せで実装され得る。プロセッサによって実行されるソフトウェアで実装される場合、機能は、１つまたは複数の命令またはコードとしてコンピュータ可読媒体上に記憶されるか、またはコンピュータ可読媒体を介して送信され得る。他の例および実装形態は、本開示および添付の特許請求の範囲および趣旨内に入る。たとえば、ソフトウェアの性質により、上記で説明した機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が、異なる物理的な場所において実装されるように分散されることを含めて、様々な位置に物理的に配置され得る。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような、選言的列挙を示す。
【０１０９】
コンピュータ可読媒体は、ある場所から別の場所へのコンピュータプログラムの転送を容易にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気ストレージデバイス、または、命令もしくはデータ構造の形態の所望のプログラムコード手段を搬送または記憶するために使用され、汎用または専用コンピュータあるいは汎用または専用プロセッサによってアクセスされ得る、任意の他の媒体を備え得る。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、データをレーザで光学的に再生する。上記の組合せもコンピュータ可読媒体の範囲内に含まれる。
【０１１０】
本開示の前述の説明は、当業者が本開示を作成または使用することができるように提供されたものである。本開示への様々な修正は当業者には容易に明らかであり、本明細書で定義した一般原理は、本開示の趣旨または範囲から逸脱することなく他の変形形態に適用できる。本開示全体にわたって、「例」または「例示的」という用語は、一例または一事例を示すものであり、言及した例についての選好を暗示せず、または必要としない。したがって、本開示は、本明細書で説明する例および設計に限定されるべきでなく、本明細書で開示する原理および新規の特徴に合致する最も広い範囲を与えられるべきである。
以下に、本願出願の当初の特許請求の範囲に記載された発明を付記する。
［Ｃ１］
フェムトセルの発見のためのシステムであって、前記システムは、
マクロセル上の第１の周波数範囲に留まっているモバイルデバイスと、
フェムトセルアクセスポイントと
を備え、前記フェムトセルアクセスポイントは、
前記第１の周波数範囲と異なる第２の周波数範囲で帯域外（ＯＯＢ）発見信号を前記モバイルデバイスへ送信または前記モバイルデバイスから受信するように構成される、第１のトランシーバと、
前記第１の周波数範囲および前記第２の周波数範囲と異なる第３の周波数範囲での前記モバイルデバイスへの送信を実行するように構成される、第２の送信機と、
前記第１の周波数範囲での前記モバイルデバイスへの帯域内ビーコンバースト送信を実行して、セルの再選択のために異周波数スキャンを実行するように前記モバイルデバイスをトリガするように構成される、第３の送信機と
を含む、システム。
［Ｃ２］
前記第１の周波数範囲での帯域内ビーコンバースト送信を実行するために、前記第３の送信機は、
前記第１の周波数範囲での低出力の帯域内ビーコンバースト送信を実行するように構成される、
［Ｃ１］に記載のシステム。
［Ｃ３］
前記第１の周波数範囲での帯域内ビーコンバースト送信を実行するために、前記第３の送信機は、
前記第１の周波数範囲での高出力の帯域内ビーコンバースト送信を実行するように構成される、
［Ｃ１］に記載のシステム。
［Ｃ４］
前記第１の周波数範囲での帯域内ビーコンバースト送信は、時分割多重化された信号を備える、
［Ｃ１］に記載のシステム。
［Ｃ５］
前記フェムトセルアクセスポイントは、前記第１のトランシーバ、前記第２の送信機、および前記第３の送信機と通信可能に結合されるコントローラをさらに備え、前記コントローラは、
前記第２の周波数範囲の発見信号をモニタして、モバイルデバイスの存在を検出し、
モバイルデバイスの存在が検出されない時、前記第１の周波数範囲での前記モバイルデバイスへの帯域内ビーコンバースト送信を中断するように構成される、
［Ｃ１］に記載のシステム。
［Ｃ６］
前記フェムトセルアクセスポイントは、前記第１のトランシーバ、前記第２の送信機、および前記第３の送信機と通信可能に結合されるコントローラをさらに備え、前記コントローラは、
前記第２の周波数範囲の発見信号をモニタして、モバイルデバイスの存在を検出し、
１つまたは複数のモバイルデバイスの前記存在が検出される時、前記第１の周波数範囲での前記モバイルデバイスへの帯域内ビーコンバースト送信をアクティブ化するように構成される、
［Ｃ１］に記載のシステム。
［Ｃ７］
前記アクティブ化された帯域内ビーコンバースト送信は、前記第１の周波数範囲から他のマクロセル周波数範囲へホッピングする、時分割多重化されたビーコンを備える、
［Ｃ６］に記載のシステム。
［Ｃ８］
前記第３の周波数にすでに留まっている１つまたは複数のモバイルデバイスの前記存在が検出される時、前記帯域内ビーコンバースト送信が中断されたままである、
［Ｃ６］に記載のシステム。
［Ｃ９］
前記フェムトセルアクセスポイントは、前記第１のトランシーバおよび前記第２の送信機と通信可能に結合されるコントローラをさらに備え、前記コントローラは、
前記第２の周波数範囲の発見信号をモニタして、前記フェムトセルアクセスポイントに登録されたモバイルデバイスの存在を検出し、
前記フェムトセルアクセスポイントに登録されたモバイルデバイスが検出されない時、前記第１の周波数範囲での前記モバイルデバイスへの帯域内ビーコンバースト送信を中断するように構成される、
［Ｃ１］に記載のシステム。
［Ｃ１０］
前記フェムトセルアクセスポイントは、前記第１のトランシーバおよび前記第２の送信機と通信可能に結合されるコントローラをさらに備え、前記コントローラは、
前記第２の周波数範囲の発見信号をモニタして、前記フェムトセルアクセスポイントに登録されたモバイルデバイスの存在を検出し、
前記フェムトセルアクセスポイントに登録されている１つまたは複数のモバイルデバイスが検出される時、前記第１の周波数範囲での前記モバイルデバイスへの帯域内ビーコンバースト送信をアクティブ化する
ように構成される、［Ｃ１］に記載のシステム。
［Ｃ１１］
前記アクティブ化された帯域内ビーコンバースト送信は、前記第１の周波数範囲から他のマクロセル周波数範囲へホッピングする、時分割多重化されたビーコンを備える、
［Ｃ１０］に記載のシステム。
［Ｃ１２］
前記フェムトセルアクセスポイントは、前記第１のトランシーバおよび前記第２の送信機と通信可能に結合されるコントローラをさらに備え、前記コントローラは、
前記第２の周波数範囲の発見信号をモニタして、モバイルデバイスの存在を検出し、
前記フェムトセルアクセスポイントに登録されたモバイルデバイスが検出されない時、第１の間隔で、前記第１の周波数範囲で高出力の帯域内ビーコンバースト送信を送信し、
前記フェムトセルアクセスポイントに登録されたモバイルデバイスが検出されない時、前記第１の間隔よりも短い第２の間隔で、前記第１の周波数範囲で高出力の帯域内ビーコンバースト送信を送信する
ように構成される、［Ｃ１］に記載のシステム。
［Ｃ１３］
前記フェムトセルアクセスポイントは、前記第１のトランシーバおよび前記第２の送信機と通信可能に結合されるコントローラをさらに備え、前記コントローラは、
前記第２の周波数範囲の信号をモニタして、モバイルデバイスの存在を検出し、
前記フェムトセルアクセスポイントに登録されたモバイルデバイスが検出されない時、第１の間隔で、前記第１の周波数範囲で低出力の帯域内ビーコンバースト送信を送信し、
前記フェムトセルアクセスポイントに登録されたモバイルデバイスが検出されない時、前記第１の間隔よりも短い第２の間隔で、前記第１の周波数範囲で低出力の帯域内ビーコンバースト送信を送信する
ように構成される、［Ｃ１］に記載のシステム。
［Ｃ１４］
前記モバイルデバイスをさらに備え、前記モバイルデバイスは、
前記第２の周波数範囲で帯域外（ＯＯＢ）発見信号を前記フェムトセルアクセスポイントへ送信または前記フェムトセルアクセスポイントから受信することによって、前記フェムトセルアクセスポイントの存在を検出し、
前記フェムトセルアクセスポイントの前記存在を検出したことに応答して、前記第３の周波数範囲を特定し、
前記フェムトセルを選択する
ように構成される、［Ｃ１］に記載のシステム。
［Ｃ１５］
前記モバイルデバイスをさらに備え、前記モバイルデバイスは、
前記第２の周波数範囲で帯域外（ＯＯＢ）発見信号を前記フェムトセルアクセスポイントへ送信または前記フェムトセルアクセスポイントから受信することによって、前記フェムトセルアクセスポイントの存在を検出し、
前記フェムトセルアクセスポイントの前記存在を検出したことに応答して、セルの再選択のために異周波数スキャンを実行し、
前記異周波数スキャンから前記第３の周波数範囲を特定し、
前記フェムトセルを選択する
ように構成される、［Ｃ１］に記載のシステム。
［Ｃ１６］
前記第１の周波数範囲での帯域内ビーコンバースト送信を実行するために、前記第３の送信機は、
前記第１の周波数範囲での低出力の帯域内ビーコンバースト送信を実行するように構成される、
［Ｃ１５］に記載のシステム。
［Ｃ１７］
前記モバイルデバイスは、前記低出力の帯域内ビーコンバースト送信を待機することなく、前記フェムトセルアクセスポイントの前記存在を検出したことに応答して、セルの再選択のために前記異周波数スキャンを実行するように構成される、
［Ｃ１６］に記載のシステム。
［Ｃ１８］
前記第１のトランシーバから前記モバイルデバイスへ送信される前記ＯＯＢ発見信号は、Ｂｌｕｅｔｏｏｔｈページシーケンスを備える、
［Ｃ１］に記載のシステム。
［Ｃ１９］
前記第１のトランシーバから前記モバイルデバイスへ送信される前記ＯＯＢ発見信号は、Ｂｌｕｅｔｏｏｔｈ問い合わせシーケンスを備える、
［Ｃ１］に記載のシステム。
［Ｃ２０］
前記モバイルデバイスから前記第１のトランシーバへ送信される前記ＯＯＢ発見信号は、Ｂｌｕｅｔｏｏｔｈページシーケンスを備える、
［Ｃ１］に記載のシステム。
［Ｃ２１］
前記モバイルデバイスから前記第１のトランシーバへ送信される前記ＯＯＢ発見信号は、Ｂｌｕｅｔｏｏｔｈ問い合わせシーケンスを備える、
［Ｃ１］に記載のシステム。
［Ｃ２２］
複数の追加の周波数範囲での帯域内送信を実行するように構成される、複数の追加のマクロセル送信機をさらに備え、
前記第３の送信機は、前記複数の追加の周波数範囲での帯域内ビーコンバースト送信を実行して、セルの再選択のために異周波数スキャンを実行するようにモバイルデバイスをトリガするように構成される、
［Ｃ１］に記載のシステム。
［Ｃ２３］
前記帯域内ビーコンバースト送信は、ラウンドロビンパターンで、前記第１の周波数範囲から前記複数の追加の周波数範囲の各々へホッピングする、時分割多重化されたビーコンを備える、
［Ｃ２２］に記載のシステム。
［Ｃ２４］
前記第１の周波数範囲に留まっている前記モバイルデバイスは、アクティブ状態またはアイドル状態である、
［Ｃ１］に記載のシステム。
［Ｃ２５］
マクロセル上の第１の周波数範囲に留まっているモバイルデバイスのために、フェムトセルの発見を容易にするように構成されるフェムトセルアクセスポイントであって、
前記第１の周波数範囲と異なる第２の周波数範囲で帯域外（ＯＯＢ）発見信号を前記モバイルデバイスへ送信または前記モバイルデバイスから受信するように構成される、第１のトランシーバと、
前記第１の周波数範囲および前記第２の周波数範囲と異なる第３の周波数範囲での前記モバイルデバイスへの送信を実行するように構成される、第２の送信機と、
前記第１の周波数範囲での前記モバイルデバイスへの帯域内ビーコンバースト送信を実行して、セルの再選択のために異周波数スキャンを実行するように前記モバイルデバイスをトリガするように構成される、第３の送信機と
を備える、フェムトセルアクセスポイント。
［Ｃ２６］
前記第１の周波数範囲での帯域内ビーコンバースト送信を実行するために、前記第３の送信機は、
前記第１の周波数範囲での低出力の帯域内ビーコンバースト送信を実行するように構成される、
［Ｃ２５］に記載のフェムトセルアクセスポイント。
［Ｃ２７］
前記第１の周波数範囲での帯域内ビーコンバースト送信を実行するために、前記第３の送信機は、
前記第１の周波数範囲での高出力の帯域内ビーコンバースト送信を実行するように構成される、
［Ｃ２５］に記載のフェムトセルアクセスポイント。
［Ｃ２８］
前記第１の周波数範囲での帯域内ビーコンバースト送信は、時分割多重化された信号を備える、
［Ｃ２５］に記載のフェムトセルアクセスポイント。
［Ｃ２９］
前記フェムトセルアクセスポイントは、前記第１のトランシーバ、前記第２の送信機、および前記第３の送信機と通信可能に結合されるコントローラをさらに備え、前記コントローラは、
前記第２の周波数範囲の発見信号をモニタして、モバイルデバイスの存在を検出し、
モバイルデバイスの存在が検出されない時、前記第１の周波数範囲での前記モバイルデバイスへの帯域内ビーコンバースト送信を中断するように構成される、
［Ｃ２５］に記載のフェムトセルアクセスポイント。
［Ｃ３０］
前記フェムトセルアクセスポイントは、前記第１のトランシーバ、前記第２の送信機、および前記第３の送信機と通信可能に結合されるコントローラをさらに備え、前記コントローラは、
前記第２の周波数範囲の発見信号をモニタして、モバイルデバイスの存在を検出し、
１つまたは複数のモバイルデバイスの前記存在が検出される時、前記第１の周波数範囲での前記モバイルデバイスへの帯域内ビーコンバースト送信をアクティブ化する
ように構成される、［Ｃ２５］に記載のフェムトセルアクセスポイント。
［Ｃ３１］
前記アクティブ化された帯域内ビーコンバースト送信は、前記第１の周波数範囲から他のマクロセル周波数範囲へホッピングする、時分割多重化されたビーコンを備える、
［Ｃ３０］に記載のフェムトセルアクセスポイント。
［Ｃ３２］
前記第３の周波数にすでに留まっている１つまたは複数のモバイルデバイスの前記存在が検出される時、前記帯域内ビーコンバースト送信は、中断されたままである、
［Ｃ３０］に記載のフェムトセルアクセスポイント。
［Ｃ３３］
前記フェムトセルアクセスポイントは、前記第１のトランシーバおよび前記第２の送信機と通信可能に結合されるコントローラをさらに備え、前記コントローラは、
前記第２の周波数範囲の発見信号をモニタして、前記フェムトセルアクセスポイントに登録されたモバイルデバイスの存在を検出し、
前記フェムトセルアクセスポイントに登録されたモバイルデバイスが検出されない時、前記第１の周波数範囲での前記モバイルデバイスへの帯域内ビーコンバースト送信を中断する
ように構成される、［Ｃ２５］に記載のフェムトセルアクセスポイント。
［Ｃ３４］
前記フェムトセルアクセスポイントは、前記第１のトランシーバおよび前記第２の送信機と通信可能に結合されるコントローラを備え、前記コントローラは、
前記第２の周波数範囲の発見信号をモニタして、前記フェムトセルアクセスポイントに登録されたモバイルデバイスの存在を検出し、
前記フェムトセルアクセスポイントに登録されている１つまたは複数のモバイルデバイスが検出される時、前記第１の周波数範囲での前記モバイルデバイスへの帯域内ビーコンバースト送信をアクティブ化する
ように構成される、［Ｃ２５］に記載のフェムトセルアクセスポイント。
［Ｃ３５］
前記アクティブ化された帯域内ビーコンバースト送信は、前記第１の周波数範囲から他のマクロセル周波数範囲へホッピングする、時分割多重化されたビーコンを備える、
［Ｃ３４］に記載のフェムトセルアクセスポイント。
［Ｃ３６］
前記フェムトセルアクセスポイントは、前記第１のトランシーバおよび前記第２の送信機と通信可能に結合されるコントローラを備え、前記コントローラは、
前記第２の周波数範囲の発見信号をモニタして、モバイルデバイスの存在を検出し、
前記フェムトセルアクセスポイントに登録されたモバイルデバイスが検出されない時、第１の間隔で、前記第１の周波数範囲で高出力の帯域内ビーコンバースト送信を送信し、
前記フェムトセルアクセスポイントに登録されたモバイルデバイスが検出されない時、前記第１の間隔よりも短い第２の間隔で、前記第１の周波数範囲で高出力の帯域内ビーコンバースト送信を送信する
ように構成される、［Ｃ２５］に記載のフェムトセルアクセスポイント。
［Ｃ３７］
前記フェムトセルアクセスポイントは、前記第１のトランシーバおよび前記第２の送信機と通信可能に結合されるコントローラを備え、前記コントローラは、
前記第２の周波数範囲の信号をモニタして、モバイルデバイスの存在を検出し、
前記フェムトセルアクセスポイントに登録されたモバイルデバイスが検出されない時、第１の間隔で、前記第１の周波数範囲で低出力の帯域内ビーコンバースト送信を送信し、
前記フェムトセルアクセスポイントに登録されたモバイルデバイスが検出されない時、前記第１の間隔よりも短い第２の間隔で、前記第１の周波数範囲で低出力の帯域内ビーコンバースト送信を送信する
ように構成される、［Ｃ２５］に記載のフェムトセルアクセスポイント。
［Ｃ３８］
前記第１のトランシーバから前記モバイルデバイスへ送信される前記ＯＯＢ発見信号は、Ｂｌｕｅｔｏｏｔｈページシーケンスを備える、
［Ｃ２５］に記載のフェムトセルアクセスポイント。
［Ｃ３９］
前記第１のトランシーバから前記モバイルデバイスへ送信される前記ＯＯＢ発見信号は、Ｂｌｕｅｔｏｏｔｈ問い合わせシーケンスを備える、
［Ｃ２５］に記載のフェムトセルアクセスポイント。
［Ｃ４０］
前記モバイルデバイスから前記第１のトランシーバへ送信される前記ＯＯＢ発見信号は、Ｂｌｕｅｔｏｏｔｈページシーケンスを備える、
［Ｃ２５］に記載のフェムトセルアクセスポイント。
［Ｃ４１］
前記モバイルデバイスから前記第１のトランシーバへ送信される前記ＯＯＢ発見信号は、Ｂｌｕｅｔｏｏｔｈ問い合わせシーケンスを備える、
［Ｃ２５］に記載のフェムトセルアクセスポイント。
［Ｃ４２］
複数の追加の周波数範囲での帯域内送信を実行するように構成される、複数の追加のマクロセル送信機をさらに備え、
前記第３の送信機は、前記複数の追加の周波数での帯域内ビーコンバースト送信を実行して、セルの再選択のために異周波数スキャンを実行するようにモバイルデバイスをトリガするように構成される、
［Ｃ２５］に記載のフェムトセルアクセスポイント。
［Ｃ４３］
前記帯域内ビーコンバースト送信は、ラウンドロビンパターンで、前記第１の周波数範囲から前記複数の追加の周波数範囲の各々へホッピングする、時分割多重化されたビーコンを備える、
［Ｃ４２］に記載のフェムトセルアクセスポイント。
［Ｃ４４］
前記第１の周波数範囲に留まっている前記モバイルデバイスは、アクティブ状態またはアイドル状態である、
［Ｃ２５］に記載のフェムトセルアクセスポイント。
［Ｃ４５］
マクロセル上の第１の周波数範囲に留まっているモバイルデバイスであって、前記モバイルデバイスは、
前記フェムトセルアクセスポイントにおいて、前記第１の周波数範囲と異なる第２の周波数範囲で帯域外（ＯＯＢ）発見信号を第１のトランシーバへ送信または前記第１のトランシーバから受信することによって、フェムトセルアクセスポイントの存在を検出し、
前記フェムトセルアクセスポイントの前記存在を検出したことに応答して、前記フェムトセルアクセスポイントにおける第２のトランシーバとの通信のための、前記第１の周波数範囲および前記第２の周波数範囲と異なる、第３の周波数範囲を特定し、
前記フェムトセルを選択する
ように構成され、前記フェムトセルアクセスポイントは、前記第１の周波数範囲での帯域内ビーコンバースト送信を実行するように構成される第３の送信機をさらに含む、
モバイルデバイス。
［Ｃ４６］
マクロセル上の第１の周波数範囲に留まっているモバイルデバイスであって、前記モバイルデバイスは、
前記フェムトセルアクセスポイントにおいて、前記第１の周波数範囲と異なる第２の周波数範囲で帯域外（ＯＯＢ）発見信号を第１のトランシーバへ送信または前記第１のトランシーバから受信することによって、フェムトセルアクセスポイントの存在を検出し、
前記フェムトセルアクセスポイントの前記存在を検出したことに応答して、セルの再選択のために異周波数スキャンを実行し、
前記異周波数スキャンから、前記フェムトセルアクセスポイントにおける第２のトランシーバとの通信のための、前記第１の周波数範囲および前記第２の周波数範囲と異なる、第３の周波数範囲を特定し、
前記フェムトセルを選択する
ように構成され、前記フェムトセルアクセスポイントは、前記第１の周波数範囲での帯域内ビーコンバースト送信を実行するように構成される第３の送信機をさらに含む、
モバイルデバイス。
［Ｃ４７］
前記モバイルデバイスは、低出力の帯域内ビーコンバースト送信を待機することなく、前記フェムトセルアクセスポイントの前記存在を検出したことに応答して、セルの再選択のために前記異周波数スキャンを実行するように構成される、
［Ｃ４６］に記載のモバイルデバイス。
［Ｃ４８］
コンピュータ可読媒体を備える、マクロセル上の第１の周波数範囲に留まっているモバイルデバイスのためにフェムトセルの発見を容易にするためのコンピュータプログラム製品であって、前記コンピュータ可読媒体は、
第１のトランシーバに、前記第１の周波数範囲と異なる第２の周波数範囲で帯域外（ＯＯＢ）発見信号をモバイルデバイスへ送信または前記モバイルデバイスから受信させるためのコードと、
第２の送信機に、前記第１の周波数範囲および前記第２の周波数範囲と異なる第３の周波数範囲での前記モバイルデバイスへの送信を実行させるためのコードと、
第３の送信機に、前記第１の周波数範囲での前記モバイルデバイスへの帯域内ビーコンバースト送信を実行させて、セルの再選択のために異周波数スキャンを実行するように前記モバイルデバイスをトリガさせるためのコードと
を備える、コンピュータプログラム製品。
［Ｃ４９］
マクロセル上の第１の周波数範囲に留まっているモバイルデバイスによるフェムトセルの発見を容易にするための装置であって、
前記第１の周波数範囲と異なる第２の周波数範囲で帯域外（ＯＯＢ）発見信号をモバイルデバイスへ送信または前記モバイルデバイスから受信するための手段と、
前記第１の周波数範囲および前記第２の周波数範囲と異なる第３の周波数範囲で前記モバイルデバイスへ通信信号を送信するための手段と、
前記第１の周波数範囲で前記モバイルデバイスへ帯域内ビーコンバースト送信を送信して、セルの再選択のために異周波数スキャンを実行するように前記モバイルデバイスをトリガするための手段と
を備える、装置。
［Ｃ５０］
マクロセル上の第１の周波数範囲に留まっているモバイルデバイスによるフェムトセルの発見を容易にするための方法であって、
前記第１の周波数範囲と異なる第２の周波数範囲で帯域外（ＯＯＢ）発見信号をモバイルデバイスへ送信または前記モバイルデバイスから受信することと、
前記第１の周波数範囲および前記第２の周波数範囲と異なる第３の周波数範囲で前記モバイルデバイスへ通信信号を送信することと、
前記第１の周波数範囲で前記モバイルデバイスへ帯域内ビーコンバーストを送信して、セルの再選択のために異周波数スキャンを実行するように前記モバイルデバイスをトリガすることと
を備える、方法。
［Ｃ５１］
帯域内ビーコンバーストを送信することは、
前記第１の周波数範囲で低出力の帯域内ビーコンバーストを送信することを備える、
［Ｃ５０］に記載の方法。
［Ｃ５２］
帯域内ビーコンバーストを送信することは、
前記第１の周波数範囲で高出力の帯域内ビーコンバーストを送信することを備える、
［Ｃ５０］に記載の方法。
［Ｃ５３］
前記第１の周波数範囲での帯域内ビーコンバースト送信は、時分割多重化された信号を備える、
［Ｃ５０］に記載の方法。
［Ｃ５４］
前記第２の周波数範囲の発見信号をモニタして、モバイルデバイスの存在を検出することと、
モバイルデバイスの存在が検出されない時、前記第１の周波数範囲での前記モバイルデバイスへの帯域内ビーコンバースト送信を中断することと
をさらに備える、［Ｃ５０］に記載の方法。
［Ｃ５５］
前記第２の周波数範囲の発見信号をモニタして、モバイルデバイスの存在を検出することと、
１つまたは複数のモバイルデバイスの前記存在が検出される時、前記第１の周波数範囲での前記モバイルデバイスへの帯域内ビーコンバースト送信をアクティブ化することと
をさらに備える、［Ｃ５０］に記載の方法。
［Ｃ５６］
前記アクティブ化された帯域内ビーコンバースト送信は、前記第１の周波数範囲から他のマクロセル周波数範囲へホッピングする、時分割多重化されたビーコンを備える、
［Ｃ５５］に記載の方法。
［Ｃ５７］
前記第３の周波数にすでに留まっている１つまたは複数のモバイルデバイスの前記存在が検出される時、前記帯域内ビーコンバースト送信が中断されたままである、
［Ｃ５５］に記載の方法。
［Ｃ５８］
前記第２の周波数範囲の発見信号をモニタして、前記フェムトセルアクセスポイントに登録されたモバイルデバイスの存在を検出することと、
前記フェムトセルに登録されたモバイルデバイスが検出されない時、前記第１の周波数範囲での前記モバイルデバイスへの帯域内ビーコンバースト送信を中断することと
をさらに備える、［Ｃ５０］に記載の方法。
［Ｃ５９］
前記第２の周波数範囲の発見信号をモニタして、前記フェムトセルアクセスポイントに登録されたモバイルデバイスの存在を検出することと、
前記フェムトセルに登録されている１つまたは複数のモバイルデバイスが検出される時、前記第１の周波数範囲での前記モバイルデバイスへの帯域内ビーコンバースト送信をアクティブ化することと
をさらに備える、［Ｃ５０］に記載の方法。
［Ｃ６０］
前記アクティブ化された帯域内ビーコンバースト送信は、前記第１の周波数範囲から他のマクロセル周波数範囲へホッピングする、時分割多重化されたビーコンを備える、
［Ｃ５９］に記載の方法。
［Ｃ６１］
前記第２の周波数範囲の発見信号をモニタして、モバイルデバイスの存在を検出することと、
前記フェムトセルアクセスポイントに登録されたモバイルデバイスが検出されない時、第１の間隔で、前記第１の周波数範囲で高出力の帯域内ビーコンバースト送信を送信することと、
前記フェムトセルアクセスポイントに登録されたモバイルデバイスが検出されない時、前記第１の間隔よりも短い第２の間隔で、前記第１の周波数範囲で高出力の帯域内ビーコンバースト送信を送信することと
をさらに備える、［Ｃ５０］に記載の方法。
［Ｃ６２］
前記第２の周波数範囲の信号をモニタして、モバイルデバイスの存在を検出することと、
前記フェムトセルアクセスポイントに登録されたモバイルデバイスが検出されない時、第１の間隔で、前記第１の周波数範囲で低出力の帯域内ビーコンバースト送信を送信することと、
前記フェムトセルアクセスポイントに登録されたモバイルデバイスが検出されない時、前記第１の間隔よりも短い第２の間隔で、前記第１の周波数範囲で低出力の帯域内ビーコンバースト送信を送信することと
をさらに備える、［Ｃ５０］に記載の方法。
［Ｃ６３］
前記モバイルデバイスへ送信される前記ＯＯＢ発見信号は、Ｂｌｕｅｔｏｏｔｈページシーケンスを備え、
前記モバイルデバイスへ送信される前記ＯＯＢ発見信号は、Ｂｌｕｅｔｏｏｔｈ問い合わせシーケンスを備え、
前記モバイルデバイスから受信される前記ＯＯＢ発見信号は、Ｂｌｕｅｔｏｏｔｈページシーケンスを備え、
前記モバイルデバイスから受信される前記ＯＯＢ発見信号は、Ｂｌｕｅｔｏｏｔｈ問い合わせシーケンスを備える、
［Ｃ５０］に記載の方法。
［Ｃ６４］
複数の追加の周波数範囲で帯域内送信を実行するように構成される、複数の追加のマクロセル送信機をさらに備え、帯域内ビーコンバースト送信は、前記複数の追加の周波数範囲で実行されて、セルの再選択のために異周波数スキャンを実行するようにモバイルデバイスをトリガする、
［Ｃ５０］に記載の方法。
［Ｃ６５］
前記帯域内ビーコンバースト送信は、ラウンドロビンパターンで、前記第１の周波数範囲から前記複数の追加の周波数範囲の各々へホッピングする、時分割多重化されたビーコンを備える、
［Ｃ５０］に記載の方法。
［Ｃ６６］
前記モバイルデバイスから前記第２の周波数範囲で前記帯域外（ＯＯＢ）発見信号を前記受信することは、
前記モバイルデバイスの存在を示すデータを、有線の通信リンクを介して受信することを備える、
［Ｃ５０］に記載の方法。
［Ｃ６７］
前記モバイルデバイスの存在を示す、前記有線の通信リンクを介して受信される前記データは、前記第１の周波数範囲を介して前記モバイルデバイスから送信されるデータを備える、
［Ｃ６６］に記載の方法。
【図１】
0005694567.tif 000002
【図２】
0005694567.tif 000003
【図３】
0005694567.tif 000004
【図４】
0005694567.tif 000005
【図５】
0005694567.tif 000006
【図６Ａ】
0005694567.tif 000007
【図６Ｂ】
0005694567.tif 000008
【図７Ａ】
0005694567.tif 000009
【図７Ｂ】
0005694567.tif 000010
【図８Ａ】
0005694567.tif 000011
【図８Ｂ】
0005694567.tif 000012
【図９】
0005694567.tif 000013
【図１０】
0005694567.tif 000014
【図１１】
0005694567.tif 000015